(57)【特許請求の範囲】
【請求項１】
第１の情報を提供する第１の情報提供サーバと、前記第１の情報とは異なる第２の情報を提供する第２の情報提供サーバと、前記第１の情報提供サーバによって提供された第１の情報及び前記第２の情報提供サーバによって提供された第２の情報を再生する再生装置とが互いに通信可能に接続された情報管理システムであって、
前記第１の情報提供サーバは、
暗号鍵を用いて前記第１の情報を暗号化する暗号化手段と、
前記暗号化手段によって暗号化された第１の情報に、当該第１の情報を暗号化する際に用いた暗号鍵を識別するための暗号鍵識別情報を付加する暗号鍵識別情報付加手段と、
前記暗号鍵識別情報付加手段によって前記暗号鍵識別情報が付加された第１の情報を前記再生装置へ送信すると共に、前記暗号鍵を前記第２の情報提供サーバへ送信する送信手段とを備え、
前記第２の情報提供サーバは、
前記第１の情報提供サーバの前記送信手段によって送信された前記暗号鍵を受信する暗号鍵受信手段と、
前記暗号鍵受信手段によって受信された前記暗号鍵を第２の情報に埋め込む埋め込み手段と、
前記再生装置から送信される前記暗号鍵識別情報を受信する暗号鍵識別情報受信手段と、
前記暗号鍵識別情報受信手段によって受信された前記暗号鍵識別情報に対応する暗号鍵が埋め込まれた第２の情報を前記再生装置へ送信する第２の情報送信手段とを備え、
前記再生装置は、
前記第１の情報提供サーバの前記送信手段によって送信された前記第１の情報を受信する第１の情報受信手段と、
前記第１の情報受信手段によって受信された前記第１の情報に付加されている前記暗号鍵識別情報を前記第２の情報提供サーバへ送信する暗号鍵識別情報送信手段と、
前記第２の情報提供サーバの前記第２の情報送信手段によって送信された前記第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた前記暗号鍵を取得する取得手段と、
前記第１の情報受信手段によって受信された前記第１の情報を、前記取得手段によって取得された前記暗号鍵を用いて復号化する復号化手段と、
前記復号化手段によって復号化された前記第１の情報を再生する第１の情報再生手段とを備えることを特徴とする情報管理システム。
【請求項２】
前記第１の情報は、コンテンツデータを含み、
前記第２の情報は、コマーシャルメッセージデータを含むことを特徴とする請求項１記載の情報管理システム。
【請求項３】
前記第１の情報提供サーバは、前記コンテンツデータを複数の分割コンテンツデータに分割する分割手段をさらに備え、
前記暗号化手段は、暗号鍵を用いて前記分割手段によって分割された各分割コンテンツデータを暗号化し、
前記暗号鍵識別情報付加手段は、前記暗号化手段によって暗号化された各分割コンテンツデータのそれぞれに当該各分割コンテンツデータを暗号化する際に用いた暗号鍵を識別するための暗号鍵識別情報を付加し、
前記第１の情報提供サーバの前記送信手段は、前記暗号鍵識別情報付加手段によって前記暗号鍵識別情報が付加された各分割コンテンツデータを前記再生装置へ送信すると共に、前記暗号鍵を前記第２の情報提供サーバへ送信し、
前記第２の情報提供サーバの前記暗号鍵受信手段は、前記第１の情報提供サーバの前記送信手段によって送信された前記暗号鍵を受信し、
前記埋め込み手段は、前記暗号鍵受信手段によって受信された前記暗号鍵を各分割コンテンツデータに対応する各コマーシャルメッセージデータに埋め込み、
前記暗号鍵識別情報受信手段は、前記再生装置から送信される前記暗号鍵識別情報を受信し、
前記第２の情報送信手段は、前記暗号鍵識別情報受信手段によって受信された前記暗号鍵識別情報に対応するコマーシャルメッセージデータを前記再生装置へ送信し、
前記再生装置の前記第１の情報受信手段は、前記第１の情報提供サーバの前記送信手段によって送信された前記分割コンテンツデータを受信し、
前記暗号鍵識別情報送信手段は、前記第１の情報受信手段によって受信された前記分割コンテンツデータに付加されている前記暗号鍵識別情報を前記第２の情報提供サーバへ送信し、
前記第２の情報受信手段は、前記第２の情報提供サーバの前記第２の情報送信手段によって送信された前記コマーシャルメッセージデータを受信し、
前記第２の情報再生手段は、前記第２の情報受信手段によって受信された前記コマーシャルメッセージデータを再生し、
前記取得手段は、前記第２の情報再生手段によって再生される前記コマーシャルメッセージデータに埋め込まれた前記暗号鍵を取得し、
前記復号化手段は、前記第１の情報受信手段によって受信された前記分割コンテンツデータを、前記取得手段によって取得された前記暗号鍵を用いて復号化し、
前記第１の情報再生手段は、前記復号化手段によって復号化された分割コンテンツデータを再生することを特徴とする請求項２記載の情報管理システム。
【請求項４】
前記第１の情報提供サーバは、前記暗号化手段によって暗号化されたコンテンツデータに、コマーシャルメッセージデータを再生する再生タイミングを付加する再生タイミング付加手段をさらに備え、
前記再生装置の第２の情報再生手段は、前記第１の情報受信手段によって受信された前記コンテンツデータに付加されている前記再生タイミングに応じて、前記第２の情報受信手段によって受信された前記コマーシャルメッセージデータを再生することを特徴とする請求項２記載の情報管理システム。
【請求項５】
前記第１の情報提供サーバは、前記暗号化手段によって暗号化されたコンテンツデータに、コマーシャルメッセージデータを再生する際の表示画面上の位置を表す再生位置情報を付加する再生位置情報付加手段をさらに備え、
前記再生装置の第２の情報再生手段は、前記第１の情報受信手段によって受信された前記コンテンツデータに付加されている前記再生位置情報に基づいて決定される表示画面上の位置に、前記第２の情報受信手段によって受信された前記コマーシャルメッセージデータを再生することを特徴とする請求項２記載の情報管理システム。
【請求項６】
前記埋め込み手段は、前記コンテンツデータの内容に応じたコマーシャルメッセージデータに前記暗号鍵を埋め込むことを特徴とする請求項２記載の情報管理システム。
【請求項７】
前記埋め込み手段は、ユーザの嗜好に応じたコマーシャルメッセージデータに前記暗号鍵を埋め込むことを特徴とする請求項２記載の情報管理システム。
【請求項８】
前記埋め込み手段は、前記暗号鍵を、前記コマーシャルメッセージデータの動画情報、静止画情報あるいは音声情報の標本値あるいは周波数成分へ電子透かし情報として埋め込むことを特徴とする請求項２記載の情報管理システム。
【請求項９】
前記取得手段は、前記コマーシャルメッセージデータの動画情報、静止画情報あるいは音声情報の標本値あるいは周波数成分に埋め込まれた電子透かし情報から前記暗号鍵を取得することを特徴とする請求項２記載の情報管理システム。
【請求項１０】
前記再生装置は、前記第１の情報受信手段によって受信された前記第１の情報に付加されている前記暗号鍵識別情報に対応付けて、前記第２の情報受信手段によって受信されたコマーシャルメッセージデータあるいは前記取得手段によって取得された前記暗号鍵を記憶する記憶手段をさらに備えることを特徴とする請求項２記載の情報管理システム。
【請求項１１】
暗号化手段、暗号鍵識別情報付加手段及び送信手段を備えると共に第１の情報を提供する第１の情報提供サーバと、暗号鍵受信手段、埋め込み手段、暗号鍵識別情報受信手段及び第２の情報送信手段を備えると共に前記第１の情報とは異なる第２の情報を提供する第２の情報提供サーバと、第１の情報受信手段、暗号鍵識別情報送信手段、第２の情報受信手段、第２の情報再生手段、取得手段、復号化手段及び第１の情報再生手段を備えると共に前記第１の情報提供サーバによって提供された第１の情報及び前記第２の情報提供サーバによって提供された第２の情報を再生する再生装置とが互いに通信可能に接続された情報管理方法であって、
前記第１の情報提供サーバの前記暗号化手段が、暗号鍵を用いて第１の情報を暗号化する暗号化ステップと、
前記暗号鍵識別情報付加手段が、前記暗号化ステップにおいて暗号化された第１の情報に、当該第１の情報を暗号化する際に用いた暗号鍵を識別するための暗号鍵識別情報を付加する暗号鍵識別情報付加ステップと、
前記送信手段が、前記暗号鍵識別情報付加ステップにおいて前記暗号鍵識別情報が付加された第１の情報を前記再生装置へ送信すると共に、前記暗号鍵を前記第２の情報提供サーバへ送信する送信ステップと、
前記第２の情報提供サーバの前記暗号鍵受信手段が、前記第１の情報提供サーバの前記送信ステップにおいて送信された前記暗号鍵を受信する暗号鍵受信ステップと、
前記埋め込み手段が、前記暗号鍵受信ステップにおいて受信された前記暗号鍵を第２の情報に埋め込む埋め込みステップと、
前記再生装置の前記第１の情報受信手段が、前記第１の情報提供サーバの前記送信ステップにおいて送信された前記第１の情報を受信する第１の情報受信ステップと、
前記暗号鍵識別情報送信手段が、前記第１の情報受信ステップにおいて受信された前記第１の情報に付加されている前記暗号鍵識別情報を前記第２の情報提供サーバへ送信する暗号鍵識別情報送信ステップと、
前記第２の情報提供サーバの前記暗号鍵識別情報受信手段が、前記再生装置から送信される前記暗号鍵識別情報を受信する暗号鍵識別情報受信ステップと、
前記第２の情報送信手段が、前記暗号鍵識別情報受信ステップにおいて受信された前記暗号鍵識別情報に対応する暗号鍵が埋め込まれた第２の情報を前記再生装置へ送信する第２の情報送信ステップと、
前記再生装置の第２の情報受信手段が、前記第２の情報提供サーバの前記第２の情報送信ステップにおいて送信された前記第２の情報を受信する第２の情報受信ステップと、
前記第２の情報再生手段が、前記第２の情報受信ステップにおいて受信された前記第２の情報を再生する第２の情報再生ステップと、
前記取得手段が、前記第２の情報再生ステップにおいて再生される前記第２の情報に埋め込まれた前記暗号鍵を取得する取得ステップと、
前記復号化手段が、前記第１の情報受信ステップにおいて受信された前記第１の情報を、前記取得ステップにおいて取得された前記暗号鍵を用いて復号化する復号化ステップと、
前記第１の情報再生手段が、前記復号化ステップにおいて復号化された前記第１の情報を再生する第１の情報再生ステップとを含むことを特徴とする情報管理方法。
【請求項１２】
再生装置において再生される情報を、暗号鍵を用いて暗号化する暗号化手段と、
前記暗号化手段によって暗号化された前記情報に、当該情報を暗号化する際に用いた暗号鍵を識別するための暗号鍵識別情報を付加する暗号鍵識別情報付加手段と、
前記暗号鍵識別情報付加手段によって前記暗号鍵識別情報が付加された前記情報及び前記暗号鍵を送信する送信手段とを備えることを特徴とする情報提供サーバ。
【請求項１３】
暗号化手段が、再生装置において再生される情報を、暗号鍵を用いて暗号化する暗号化ステップと、
暗号鍵識別情報付加手段が、前記暗号化ステップにおいて暗号化された前記情報に、当該情報を暗号化する際に用いた暗号鍵を識別するための暗号鍵識別情報を付加する暗号鍵識別情報付加ステップと、
送信手段が、前記暗号鍵識別情報付加ステップにおいて前記暗号鍵識別情報が付加された前記情報及び前記暗号鍵を送信する送信ステップとを含むことを特徴とする情報提供方法。
【請求項１４】
再生装置において再生される情報を、暗号鍵を用いて暗号化する暗号化手段と、
前記暗号化手段によって暗号化された前記情報に、当該情報を暗号化する際に用いた暗号鍵を識別するための暗号鍵識別情報を付加する暗号鍵識別情報付加手段と、
前記暗号鍵識別情報付加手段によって前記暗号鍵識別情報が付加された前記情報を記録媒体に記録する情報記録手段と、
前記暗号鍵を送信する送信手段とを備えることを特徴とする情報提供サーバ。
【請求項１５】
第１の情報を暗号化する際に用いた暗号鍵を受信する暗号鍵受信手段と、
前記暗号鍵受信手段によって受信された前記暗号鍵を、前記第１の情報とは異なる第２の情報に埋め込む埋め込み手段と、
前記暗号鍵を識別するための暗号鍵識別情報を受信する暗号鍵識別情報受信手段と、
前記暗号鍵識別情報受信手段によって受信された前記暗号鍵識別情報に対応する暗号鍵が埋め込まれた第２の情報を送信する第２の情報送信手段とを備えることを特徴とする情報提供サーバ。
【請求項１６】
暗号鍵受信手段が、第１の情報を暗号化する際に用いた暗号鍵を受信する暗号鍵受信ステップと、
埋め込み手段が、前記暗号鍵受信ステップにおいて受信された前記暗号鍵を、前記第１の情報とは異なる第２の情報に埋め込む埋め込みステップと、
暗号鍵識別情報受信手段が、前記暗号鍵を識別するための暗号鍵識別情報を受信する暗号鍵識別情報受信ステップと、
第２の情報送信手段が、前記暗号鍵識別情報受信ステップにおいて受信された前記暗号鍵識別情報に対応する暗号鍵が埋め込まれた第２の情報を送信する第２の情報送信ステップとを含むことを特徴とする情報提供方法。
【請求項１７】
第１の情報を暗号化する際に用いた暗号鍵を識別するための暗号鍵識別情報が付加された第１の情報を受信する第１の情報受信手段と、
前記第１の情報受信手段によって受信された前記第１の情報に付加されている前記暗号鍵識別情報を送信する暗号鍵識別情報送信手段と、
前記暗号鍵識別情報に対応する前記暗号鍵が埋め込まれた、前記第１の情報とは異なる第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた暗号鍵を取得する取得手段と、
前記第１の情報受信手段によって受信された前記第１の情報を、前記取得手段によって取得された前記暗号鍵を用いて復号化する復号化手段と、
前記復号化手段によって復号化された前記第１の情報を再生する第１の情報再生手段とを備えることを特徴とする再生装置。
【請求項１８】
第１の情報受信手段が、第１の情報を暗号化する際に用いた暗号鍵を識別するための暗号鍵識別情報が付加された第１の情報を受信する第１の情報受信ステップと、
暗号鍵識別情報送信手段が、前記第１の情報受信ステップにおいて受信された前記第１の情報に付加されている前記暗号鍵識別情報を送信する暗号鍵識別情報送信ステップと、
第２の情報受信手段が、前記暗号鍵識別情報に対応する前記暗号鍵が埋め込まれた、前記第１の情報とは異なる第２の情報を受信する第２の情報受信ステップと、
第２の情報再生手段が、前記第２の情報受信ステップにおいて受信された前記第２の情報を再生する第２の情報再生ステップと、
取得手段が、前記第２の情報再生ステップにおいて再生される前記第２の情報に埋め込まれた暗号鍵を取得する取得ステップと、
復号化手段が、前記第１の情報受信ステップにおいて受信された前記第１の情報を、前記取得ステップにおいて取得された前記暗号鍵を用いて復号化する復号化ステップと、
第１の情報再生手段が、前記復号化ステップにおいて復号化された前記第１の情報を再生する第１の情報再生ステップとを含むことを特徴とする再生方法。
【請求項１９】
第１の情報を暗号化する際に用いた暗号鍵を識別するための暗号鍵識別情報が付加された第１の情報を受信する第１の情報受信手段と、
前記第１の情報受信手段によって受信された前記第１の情報に付加されている前記暗号鍵識別情報を送信する暗号鍵識別情報送信手段と、
前記暗号鍵識別情報に対応する前記暗号鍵が埋め込まれた、前記第１の情報とは異なる第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた暗号鍵を取得する取得手段と、
前記第１の情報受信手段によって受信された前記第１の情報を、前記取得手段によって取得された前記暗号鍵を用いて復号化する復号化手段と、
前記復号化手段によって復号化された前記第１の情報を再生する第１の情報再生手段としてコンピュータを機能させることを特徴とする再生プログラム。
【請求項２０】
第１の情報を暗号化する際に用いた暗号鍵を識別するための暗号鍵識別情報が付加された第１の情報を受信する第１の情報受信手段と、
前記第１の情報受信手段によって受信された前記第１の情報に付加されている前記暗号鍵識別情報を送信する暗号鍵識別情報送信手段と、
前記暗号鍵識別情報に対応する前記暗号鍵が埋め込まれた、前記第１の情報とは異なる第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた暗号鍵を取得する取得手段と、
前記第１の情報受信手段によって受信された前記第１の情報を、前記取得手段によって取得された前記暗号鍵を用いて復号化する復号化手段と、
前記復号化手段によって復号化された前記第１の情報を再生する第１の情報再生手段としてコンピュータを機能させることを特徴とする再生プログラムを記録したコンピュータ読み取り可能な記録媒体。
【請求項２１】
第１の情報を暗号化する際に用いた暗号鍵を識別するための暗号鍵識別情報が付加された第１の情報を受信するための指示を行う第１の情報受信指示回路と、
前記第１の情報受信指示回路による指示によって受信された前記第１の情報に付加されている前記暗号鍵識別情報を送信するための指示を行う暗号鍵識別情報送信指示回路と、
前記暗号鍵識別情報に対応する前記暗号鍵が埋め込まれた、前記第１の情報とは異なる第２の情報を受信するための指示を行う第２の情報受信指示回路と、
前記第２の情報受信指示回路による指示によって受信された前記第２の情報を再生するための指示を行う第２の情報再生指示回路と、
前記第２の情報再生指示回路による指示によって再生される前記第２の情報に埋め込まれた暗号鍵を取得するための指示を行う取得指示回路と、
前記第１の情報受信指示回路による指示によって受信された前記第１の情報を、前記取得指示回路による指示によって取得された前記暗号鍵を用いて復号化するための指示を行う復号化指示回路と、
前記復号化指示回路による指示によって復号化された前記第１の情報を再生するための指示を行う第１の情報再生指示回路とを備えることを特徴とする再生制御回路。
【請求項２２】
第１の情報を暗号化する際に用いた暗号鍵を識別するための暗号鍵識別情報が付加された第１の情報を記録媒体から読み出す第１の情報読出手段と、
前記第１の情報読出手段によって読み出された前記第１の情報に付加されている前記暗号鍵識別情報を送信する暗号鍵識別情報送信手段と、
前記暗号鍵識別情報に対応する前記暗号鍵が埋め込まれた、前記第１の情報とは異なる第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた暗号鍵を取得する取得手段と、
前記第１の情報読出手段によって読み出された前記第１の情報を、前記取得手段によって取得された前記暗号鍵を用いて復号化する復号化手段と、
前記復号化手段によって復号化された前記第１の情報を再生する第１の情報再生手段とを備えることを特徴とする再生装置。
【請求項２３】
第１の情報を暗号化する際に用いた暗号鍵を識別するための暗号鍵識別情報が付加された第１の情報を受信する第１の情報受信手段と、
前記第１の情報受信手段によって受信された前記第１の情報を記録する第１の情報記録手段と、
前記第１の情報記録手段によって記録された前記第１の情報に付加されている前記暗号鍵識別情報を送信する暗号鍵識別情報送信手段と、
前記暗号鍵識別情報に対応する前記暗号鍵が埋め込まれた、前記第１の情報とは異なる第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた暗号鍵を取得する取得手段と、
前記第１の情報記録手段によって記録された前記第１の情報を、前記取得手段によって取得された前記暗号鍵を用いて復号化する復号化手段と、
前記復号化手段によって復号化された前記第１の情報を再生する第１の情報再生手段とを備えることを特徴とする記録装置。
【請求項２４】
前記第１の情報記録手段によって記録された前記第１の情報と、前記第２の情報受信手段によって受信された前記第２の情報とを結合して記録する結合記録手段をさらに備えることを特徴とする請求項２３記載の記録装置。
【請求項２５】
第１の情報受信手段が、第１の情報を暗号化する際に用いた暗号鍵を識別するための暗号鍵識別情報が付加された第１の情報を受信する第１の情報受信ステップと、
第１の情報記録手段が、第１の情報受信ステップにおいて受信された前記第１の情報を記録する第１の情報記録ステップと、
暗号鍵識別情報送信手段が、前記第１の情報記録ステップにおいて記録された前記第１の情報に付加されている前記暗号鍵識別情報を送信する暗号鍵識別情報送信ステップと、
第２の情報受信手段が、前記暗号鍵識別情報に対応する前記暗号鍵が埋め込まれた、前記第１の情報とは異なる第２の情報を受信する第２の情報受信ステップと、
第２の情報再生手段が、前記第２の情報受信ステップにおいて受信された前記第２の情報を再生する第２の情報再生ステップと、
取得手段が、前記第２の情報再生ステップにおいて再生される前記第２の情報に埋め込まれた暗号鍵を取得する取得ステップと、
復号化手段が、前記第１の情報記録ステップにおいて記録された前記第１の情報を、前記取得ステップにおいて取得された前記暗号鍵を用いて復号化する復号化ステップと、
第１の情報再生手段が、前記復号化ステップにおいて復号化された前記第１の情報を再生する第１の情報再生ステップとを含むことを特徴とする記録方法。
【請求項２６】
第１の情報を暗号化する際に用いた暗号鍵を識別するための暗号鍵識別情報が付加された第１の情報を受信する第１の情報受信手段と、
前記第１の情報受信手段によって受信された前記第１の情報を記録する第１の情報記録手段と、
前記第１の情報記録手段によって記録された前記第１の情報に付加されている前記暗号鍵識別情報を送信する暗号鍵識別情報送信手段と、
前記暗号鍵識別情報に対応する前記暗号鍵が埋め込まれた、前記第１の情報とは異なる第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた暗号鍵を取得する取得手段と、
前記第１の情報記録手段によって記録された前記第１の情報を、前記取得手段によって取得された前記暗号鍵を用いて復号化する復号化手段と、
前記復号化手段によって復号化された前記第１の情報を再生する第１の情報再生手段としてコンピュータを機能させることを特徴とする記録プログラム。
【請求項２７】
第１の情報を暗号化する際に用いた暗号鍵を識別するための暗号鍵識別情報が付加された第１の情報を受信する第１の情報受信手段と、
前記第１の情報受信手段によって受信された前記第１の情報を記録する第１の情報記録手段と、
前記第１の情報記録手段によって記録された前記第１の情報に付加されている前記暗号鍵識別情報を送信する暗号鍵識別情報送信手段と、
前記暗号鍵識別情報に対応する前記暗号鍵が埋め込まれた、前記第１の情報とは異なる第２の情報を受信する第２の情報受信手段と、
前記第２の情報受信手段によって受信された前記第２の情報を再生する第２の情報再生手段と、
前記第２の情報再生手段によって再生される前記第２の情報に埋め込まれた暗号鍵を取得する取得手段と、
前記第１の情報記録手段によって記録された前記第１の情報を、前記取得手段によって取得された前記暗号鍵を用いて復号化する復号化手段と、
前記復号化手段によって復号化された前記第１の情報を再生する第１の情報再生手段としてコンピュータを機能させることを特徴とする記録プログラムを記録したコンピュータ読み取り可能な記録媒体。
【請求項２８】
第１の情報を暗号化する際に用いた暗号鍵を識別するための暗号鍵識別情報が付加された第１の情報を受信するための指示を行う第１の情報受信指示回路と、
前記第１の情報受信指示回路による指示によって受信された前記第１の情報を記録するための指示を行う第１の情報記録指示回路と、
前記第１の情報記録指示回路による指示によって記録された前記第１の情報に付加されている前記暗号鍵識別情報を送信するための指示を行う暗号鍵識別情報送信指示回路と、
前記暗号鍵識別情報に対応する前記暗号鍵が埋め込まれた、前記第１の情報とは異なる第２の情報を受信するための指示を行う第２の情報受信指示回路と、
前記第２の情報受信指示回路による指示によって受信された前記第２の情報を再生するための指示を行う第２の情報再生指示回路と、
前記第２の情報再生指示回路による指示によって再生される前記第２の情報に埋め込まれた暗号鍵を取得するための指示を行う取得指示回路と、
前記第１の情報記録指示回路による指示によって記録された前記第１の情報を、前記取得指示回路による指示によって取得された前記暗号鍵を用いて復号化するための指示を行う復号化指示回路と、
前記復号化指示回路による指示によって復号化された前記第１の情報を再生するための指示を行う第１の情報再生指示回路とを備えることを特徴とする記録制御回路。
【発明の詳細な説明】
【技術分野】
【０００１】
本発明は、第１の情報を提供する第１の情報提供サーバと、第１の情報とは異なる第２の情報を提供する第２の情報提供サーバと、第１の情報提供サーバによって提供された第１の情報及び第２の情報提供サーバによって提供された第２の情報を再生する再生装置とが互いに通信可能に接続された情報管理システム及び情報管理方法に関するものである。
【０００２】
また、本発明は、情報を提供する情報提供サーバ及び情報提供方法、情報を再生する再生装置、再生方法、再生プログラム、再生プログラムを記録したコンピュータ読み取り可能な記録媒体及び再生制御回路、並びに情報を記録する記録装置、記録方法、記録プログラム、記録プログラムを記録したコンピュータ読み取り可能な記録媒体及び記録制御回路に関するものである。
【背景技術】
【０００３】
従来、コマーシャルメッセージ（以下、“ＣＭ”と略す）情報を付加した番組情報などのコンテンツを記録又は再生する際に、番組情報からＣＭ情報を削除して記録したり、スキップして再生したりする記録再生装置が知られている。ＣＭ情報は、番組スポンサや放送局が宣伝のために番組情報に付加するものであり、このようなＣＭ情報が、削除されたりスキップされたりした場合、視聴者にＣＭ情報が伝わらない虞がある。
【０００４】
そこで、暗号化した番組情報を送信するとともに、ＣＭ情報に番組情報の暗号鍵を埋め込んで送信し、ＣＭ情報を視聴しないと暗号化された番組情報を視聴することができない情報伝送システムが提案されている（例えば、特許文献１参照）。
【特許文献１】特開２００５−５１５１４号公報
【発明の開示】
【発明が解決しようとする課題】
【０００５】
しかしながら、録画した番組情報は、番組情報を録画するタイミングと、番組情報を再生するタイミングとが異なる場合が多い。特許文献１の情報伝送システムでは、ＣＭ情報と番組情報とが同時に送信されるため、ＣＭ情報及び番組情報を録画してから再生するまでの期間が長くなると、ＣＭ情報が古いものとなっており、宣伝としての意味を成さなくなってしまう。
【０００６】
本発明は、上記の問題を解決するためになされたもので、情報提供者が視聴者に対して視聴させたい情報を確実に視聴させることができるとともに、情報提供者が所望する情報を視聴者に提供することができる情報管理システム、情報管理方法、情報提供サーバ、情報提供方法、再生装置、再生方法、再生プログラム、再生プログラムを記録したコンピュータ読み取り可能な記録媒体、再生制御回路、記録装置、記録方法、記録プログラム、記録プログラムを記録したコンピュータ読み取り可能な記録媒体及び記録制御回路を提供することを目的とするものである。
【課題を解決するための手段】
【０００７】
本発明の一局面に係る情報管理システムは、第１の情報を提供する第１の情報提供サーバと、前記第１の情報とは異なる第２の情報を提供する第２の情報提供サーバと、前記第１の情報提供サーバによって提供された第１の情報及び前記第２の情報提供サーバによって提供された第２の情報を再生する再生装置とが互いに通信可能に接続された情報管理システムであって、前記第１の情報提供サーバは、暗号鍵を用いて前記第１の情報を暗号化する暗号化手段と、前記暗号化手段によって暗号化された第１の情報に、当該第１の情報を暗号化する際に用いた暗号鍵を識別するための暗号鍵識別情報を付加する暗号鍵識別情報付加手段と、前記暗号鍵識別情報付加手段によって前記暗号鍵識別情報が付加された第１の情報を前記再生装置へ送信すると共に、前記暗号鍵を前記第２の情報提供サーバへ送信する送信手段とを備え、前記第２の情報提供サーバは、前記第１の情報提供サーバの前記送信手段によって送信された前記暗号鍵を受信する暗号鍵受信手段と、前記暗号鍵受信手段によって受信された前記暗号鍵を第２の情報に埋め込む埋め込み手段と、前記再生装置から送信される前記暗号鍵識別情報を受信する暗号鍵識別情報受信手段と、前記暗号鍵識別情報受信手段によって受信された前記暗号鍵識別情報に対応する暗号鍵が埋め込まれた第２の情報を前記再生装置へ送信する第２の情報送信手段とを備え、前記再生装置は、前記第１の情報提供サーバの前記送信手段によって送信された前記第１の情報を受信する第１の情報受信手段と、前記第１の情報受信手段によって受信された前記第１の情報に付加されている前記暗号鍵識別情報を前記第２の情報提供サーバへ送信する暗号鍵識別情報送信手段と、前記第２の情報提供サーバの前記第２の情報送信手段によって送信された前記第２の情報を受信する第２の情報受信手段と、前記第２の情報受信手段によって受信された前記第２の情報を再生する第２の情報再生手段と、前記第２の情報再生手段によって再生される前記第２の情報に埋め込まれた前記暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段とを備える。
【０００８】
本発明の他の局面に係る情報管理方法は、暗号化手段、暗号鍵識別情報付加手段及び送信手段を備えると共に第１の情報を提供する第１の情報提供サーバと、暗号鍵受信手段、埋め込み手段、暗号鍵識別情報受信手段及び第２の情報送信手段を備えると共に前記第１の情報とは異なる第２の情報を提供する第２の情報提供サーバと、第１の情報受信手段、暗号鍵識別情報送信手段、第２の情報受信手段、第２の情報再生手段、取得手段、復号化手段及び第１の情報再生手段を備えると共に前記第１の情報提供サーバによって提供された第１の情報及び前記第２の情報提供サーバによって提供された第２の情報を再生する再生装置とが互いに通信可能に接続された情報管理方法であって、前記第１の情報提供サーバの前記暗号化手段が、暗号鍵を用いて第１の情報を暗号化する暗号化ステップと、前記暗号鍵識別情報付加手段が、前記暗号化ステップにおいて暗号化された第１の情報に、当該第１の情報を暗号化する際に用いた暗号鍵を識別するための暗号鍵識別情報を付加する暗号鍵識別情報付加ステップと、前記送信手段が、前記暗号鍵識別情報付加ステップにおいて前記暗号鍵識別情報が付加された第１の情報を前記再生装置へ送信すると共に、前記暗号鍵を前記第２の情報提供サーバへ送信する送信ステップと、前記第２の情報提供サーバの前記暗号鍵受信手段が、前記第１の情報提供サーバの前記送信ステップにおいて送信された前記暗号鍵を受信する暗号鍵受信ステップと、前記埋め込み手段が、前記暗号鍵受信ステップにおいて受信された前記暗号鍵を第２の情報に埋め込む埋め込みステップと、前記再生装置の前記第１の情報受信手段が、前記第１の情報提供サーバの前記送信ステップにおいて送信された前記第１の情報を受信する第１の情報受信ステップと、前記暗号鍵識別情報送信手段が、前記第１の情報受信ステップにおいて受信された前記第１の情報に付加されている前記暗号鍵識別情報を前記第２の情報提供サーバへ送信する暗号鍵識別情報送信ステップと、前記第２の情報提供サーバの前記暗号鍵識別情報受信手段が、前記再生装置から送信される前記暗号鍵識別情報を受信する暗号鍵識別情報受信ステップと、前記第２の情報送信手段が、前記暗号鍵識別情報受信ステップにおいて受信された前記暗号鍵識別情報に対応する暗号鍵が埋め込まれた第２の情報を前記再生装置へ送信する第２の情報送信ステップと、前記再生装置の第２の情報受信手段が、前記第２の情報提供サーバの前記第２の情報送信ステップにおいて送信された前記第２の情報を受信する第２の情報受信ステップと、前記第２の情報再生手段が、前記第２の情報受信ステップにおいて受信された前記第２の情報を再生する第２の情報再生ステップと、前記取得手段が、前記第２の情報再生ステップにおいて再生される前記第２の情報に埋め込まれた前記暗号鍵を取得する取得ステップと、前記復号化手段が、前記第１の情報受信ステップにおいて受信された前記第１の情報を、前記取得ステップにおいて取得された前記暗号鍵を用いて復号化する復号化ステップと、前記第１の情報再生手段が、前記復号化ステップにおいて復号化された前記第１の情報を再生する第１の情報再生ステップとを含む。
【０００９】
本発明の他の局面に係る情報提供サーバは、再生装置において再生される情報を、暗号鍵を用いて暗号化する暗号化手段と、前記暗号化手段によって暗号化された前記情報に、当該情報を暗号化する際に用いた暗号鍵を識別するための暗号鍵識別情報を付加する暗号鍵識別情報付加手段と、前記暗号鍵識別情報付加手段によって前記暗号鍵識別情報が付加された前記情報及び前記暗号鍵を送信する送信手段とを備える。
【００１０】
本発明の他の局面に係る情報提供方法は、暗号化手段が、再生装置において再生される情報を、暗号鍵を用いて暗号化する暗号化ステップと、暗号鍵識別情報付加手段が、前記暗号化ステップにおいて暗号化された前記情報に、当該情報を暗号化する際に用いた暗号鍵を識別するための暗号鍵識別情報を付加する暗号鍵識別情報付加ステップと、送信手段が、前記暗号鍵識別情報付加ステップにおいて前記暗号鍵識別情報が付加された前記情報及び前記暗号鍵を送信する送信ステップとを含む。
【００１１】
本発明の他の局面に係る情報提供サーバは、再生装置において再生される情報を、暗号鍵を用いて暗号化する暗号化手段と、前記暗号化手段によって暗号化された前記情報に、当該情報を暗号化する際に用いた暗号鍵を識別するための暗号鍵識別情報を付加する暗号鍵識別情報付加手段と、前記暗号鍵識別情報付加手段によって前記暗号鍵識別情報が付加された前記情報を記録媒体に記録する情報記録手段と、前記暗号鍵を送信する送信手段とを備える。
【００１２】
本発明の他の局面に係る情報提供サーバは、第１の情報を暗号化する際に用いた暗号鍵を受信する暗号鍵受信手段と、前記暗号鍵受信手段によって受信された前記暗号鍵を、前記第１の情報とは異なる第２の情報に埋め込む埋め込み手段と、前記暗号鍵を識別するための暗号鍵識別情報を受信する暗号鍵識別情報受信手段と、前記暗号鍵識別情報受信手段によって受信された前記暗号鍵識別情報に対応する暗号鍵が埋め込まれた第２の情報を送信する第２の情報送信手段とを備える。
【００１３】
本発明の他の局面に係る情報提供方法は、暗号鍵受信手段が、第１の情報を暗号化する際に用いた暗号鍵を受信する暗号鍵受信ステップと、埋め込み手段が、前記暗号鍵受信ステップにおいて受信された前記暗号鍵を、前記第１の情報とは異なる第２の情報に埋め込む埋め込みステップと、暗号鍵識別情報受信手段が、前記暗号鍵を識別するための暗号鍵識別情報を受信する暗号鍵識別情報受信ステップと、第２の情報送信手段が、前記暗号鍵識別情報受信ステップにおいて受信された前記暗号鍵識別情報に対応する暗号鍵が埋め込まれた第２の情報を送信する第２の情報送信ステップとを含む。
【００１４】
本発明の他の局面に係る再生装置は、第１の情報を暗号化する際に用いた暗号鍵を識別するための暗号鍵識別情報が付加された第１の情報を受信する第１の情報受信手段と、前記第１の情報受信手段によって受信された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段とを備える。
【００１５】
本発明の他の局面に係る再生方法は、第１の情報受信手段が、第１の情報を暗号化する際に用いた暗号鍵を識別するための暗号鍵識別情報が付加された第１の情報を受信する第１の情報受信ステップと、暗号鍵識別情報送信手段が、前記第１の情報受信ステップにおいて受信された前記第１の情報に付加されている前記暗号鍵識別情報を送信する暗号鍵識別情報送信ステップと、第２の情報受信手段が、前記暗号鍵識別情報に対応する前記暗号鍵が埋め込まれた、前記第１の情報とは異なる第２の情報を受信する第２の情報受信ステップと、第２の情報再生手段が、前記第２の情報受信ステップにおいて受信された前記第２の情報を再生する第２の情報再生ステップと、取得手段が、前記第２の情報再生ステップにおいて再生される前記第２の情報に埋め込まれた暗号鍵を取得する取得ステップと、復号化手段が、前記第１の情報受信ステップにおいて受信された前記第１の情報を、前記取得ステップにおいて取得された前記暗号鍵を用いて復号化する復号化ステップと、第１の情報再生手段が、前記復号化ステップにおいて復号化された前記第１の情報を再生する第１の情報再生ステップとを含む。
【００１６】
本発明の他の局面に係る再生プログラムは、第１の情報を暗号化する際に用いた暗号鍵を識別するための暗号鍵識別情報が付加された第１の情報を受信する第１の情報受信手段と、前記第１の情報受信手段によって受信された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段としてコンピュータを機能させる。
【００１７】
本発明の他の局面に係る再生プログラムを記録したコンピュータ読み取り可能な記録媒体は、第１の情報を暗号化する際に用いた暗号鍵を識別するための暗号鍵識別情報が付加された第１の情報を受信する第１の情報受信手段と、前記第１の情報受信手段によって受信された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段としてコンピュータを機能させる再生プログラムを記録している。
【００１８】
本発明の他の局面に係る再生制御回路は、第１の情報を暗号化する際に用いた暗号鍵を識別するための暗号鍵識別情報が付加された第１の情報を受信するための指示を行う第１の情報受信指示回路と、前記第１の情報受信指示回路による指示によって受信された前記第１の情報に付加されている前記暗号鍵識別情報を送信するための指示を行う暗号鍵識別情報送信指示回路と、前記暗号鍵識別情報に対応する前記暗号鍵が埋め込まれた、前記第１の情報とは異なる第２の情報を受信するための指示を行う第２の情報受信指示回路と、前記第２の情報受信指示回路による指示によって受信された前記第２の情報を再生するための指示を行う第２の情報再生指示回路と、前記第２の情報再生指示回路による指示によって再生される前記第２の情報に埋め込まれた暗号鍵を取得するための指示を行う取得指示回路と、前記第１の情報受信指示回路による指示によって受信された前記第１の情報を、前記取得指示回路による指示によって取得された前記暗号鍵を用いて復号化するための指示を行う復号化指示回路と、前記復号化指示回路による指示によって復号化された前記第１の情報を再生するための指示を行う第１の情報再生指示回路とを備える。
【００１９】
本発明の他の局面に係る再生装置は、第１の情報を暗号化する際に用いた暗号鍵を識別するための暗号鍵識別情報が付加された第１の情報が記録された記録媒体から、前記第１の情報を読み出す第１の情報読出手段と、前記第１の情報読出手段によって読み出された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報読出手段によって読み出された前記第１の情報を、前記取得手段によって取得された前記暗号鍵を用いて復号化する復号化手段と、前記復号化手段によって復号化された前記第１の情報を再生する第１の情報再生手段とを備える。
【００２０】
本発明の他の局面に係る記録装置は、第１の情報を暗号化する際に用いた暗号鍵を識別するための暗号鍵識別情報が付加された第１の情報を受信する第１の情報受信手段と、前記第１の情報受信手段によって受信された前記第１の情報を記録する第１の情報記録手段と、前記第１の情報記録手段によって記録された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報記録手段によって記録された前記第１の情報を、前記取得手段によって取得された前記暗号鍵を用いて復号化する復号化手段と、前記復号化手段によって復号化された前記第１の情報を再生する第１の情報再生手段とを備える。
【００２１】
本発明の他の局面に係る記録方法は、第１の情報受信手段が、第１の情報を暗号化する際に用いた暗号鍵を識別するための暗号鍵識別情報が付加された第１の情報を受信する第１の情報受信ステップと、第１の情報記録手段が、第１の情報受信ステップにおいて受信された前記第１の情報を記録する第１の情報記録ステップと、暗号鍵識別情報送信手段が、前記第１の情報記録ステップにおいて記録された前記第１の情報に付加されている前記暗号鍵識別情報を送信する暗号鍵識別情報送信ステップと、第２の情報受信手段が、前記暗号鍵識別情報に対応する前記暗号鍵が埋め込まれた、前記第１の情報とは異なる第２の情報を受信する第２の情報受信ステップと、第２の情報再生手段が、前記第２の情報受信ステップにおいて受信された前記第２の情報を再生する第２の情報再生ステップと、取得手段が、前記第２の情報再生ステップにおいて再生される前記第２の情報に埋め込まれた暗号鍵を取得する取得ステップと、復号化手段が、前記第１の情報記録ステップにおいて記録された前記第１の情報を、前記取得ステップにおいて取得された前記暗号鍵を用いて復号化する復号化ステップと、第１の情報再生手段が、前記復号化ステップにおいて復号化された前記第１の情報を再生する第１の情報再生ステップとを含む。
【００２２】
本発明の他の局面に係る記録プログラムは、第１の情報を暗号化する際に用いた暗号鍵を識別するための暗号鍵識別情報が付加された第１の情報を受信する第１の情報受信手段と、前記第１の情報受信手段によって受信された前記第１の情報を記録する第１の情報記録手段と、前記第１の情報記録手段によって記録された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報記録手段によって記録された前記第１の情報を、前記取得手段によって取得された前記暗号鍵を用いて復号化する復号化手段と、前記復号化手段によって復号化された前記第１の情報を再生する第１の情報再生手段としてコンピュータを機能させる。
【００２３】
本発明の他の局面に係る記録プログラムを記録したコンピュータ読み取り可能な記録媒体は、第１の情報を暗号化する際に用いた暗号鍵を識別するための暗号鍵識別情報が付加された第１の情報を受信する第１の情報受信手段と、前記第１の情報受信手段によって受信された前記第１の情報を記録する第１の情報記録手段と、前記第１の情報記録手段によって記録された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報記録手段によって記録された前記第１の情報を、前記取得手段によって取得された前記暗号鍵を用いて復号化する復号化手段と、前記復号化手段によって復号化された前記第１の情報を再生する第１の情報再生手段としてコンピュータを機能させる記録プログラムを記録している。
【００２４】
本発明の他の局面に係る記録制御回路は、第１の情報を暗号化する際に用いた暗号鍵を識別するための暗号鍵識別情報が付加された第１の情報を受信するための指示を行う第１の情報受信指示回路と、前記第１の情報受信指示回路による指示によって受信された前記第１の情報を記録するための指示を行う第１の情報記録指示回路と、前記第１の情報記録指示回路による指示によって記録された前記第１の情報に付加されている前記暗号鍵識別情報を送信するための指示を行う暗号鍵識別情報送信指示回路と、前記暗号鍵識別情報に対応する前記暗号鍵が埋め込まれた、前記第１の情報とは異なる第２の情報を受信するための指示を行う第２の情報受信指示回路と、前記第２の情報受信指示回路による指示によって受信された前記第２の情報を再生するための指示を行う第２の情報再生指示回路と、前記第２の情報再生指示回路による指示によって再生される前記第２の情報に埋め込まれた暗号鍵を取得するための指示を行う取得指示回路と、前記第１の情報記録指示回路による指示によって記録された前記第１の情報を、前記取得指示回路による指示によって取得された前記暗号鍵を用いて復号化するための指示を行う復号化指示回路と、前記復号化指示回路による指示によって復号化された前記第１の情報を再生するための指示を行う第１の情報再生指示回路とを備える。
【００２５】
本発明の目的、特徴及び利点は、以下の詳細な説明と添付図面とによって、より明白となる。
【発明の効果】
【００２６】
本発明によれば、第２の情報を再生して暗号鍵を取得しない限り、第１の情報を復号化して再生することができないので、情報提供者が視聴者に対して視聴させたい第２の情報を確実に視聴させることができる。また、第１の情報に付加された暗号鍵識別情報に対応する暗号鍵が埋め込まれた第２の情報が再生されるので、情報提供者が所望する第２の情報に暗号鍵を埋め込んでおくことにより情報提供者が所望する第２の情報を視聴者に提供することができる。
【発明を実施するための最良の形態】
【００２７】
以下、本発明に係るコンテンツ管理システムについて図面を参照しながら説明する。図１は、本発明の一実施の形態によるコンテンツ管理システムの構成を示すブロック図である。
【００２８】
図１に示すコンテンツ管理システムは、コンテンツデータを提供するコンテンツ提供サーバ１と、コマーシャルメッセージ（以下、“ＣＭ”と略す）データを提供するＣＭ提供サーバ２と、コンテンツ提供サーバ１によって提供されたコンテンツデータ及びＣＭ提供サーバ２によって提供されたＣＭデータを再生するコンテンツ再生装置３とを備えて構成される。なお、本明細書では、コンテンツデータを適宜“コンテンツ”と簡略して表現し、ＣＭデータを適宜“ＣＭ”と簡略して表現する。
【００２９】
コンテンツ提供サーバ１は、例えば放送局が運営するサーバであり、放送局が放送する番組などのコンテンツを提供する。コンテンツ再生装置３は、例えば各家庭に設けられるＤＶＤレコーダなどであり、コンテンツ提供サーバ１により提供されるコンテンツや、ＣＭ提供サーバ２により提供されるＣＭを再生する。
【００３０】
コンテンツ提供サーバ１とＣＭ提供サーバ２とコンテンツ再生装置３とは、ネットワーク５を介して互いに通信可能に接続されている。ネットワーク５として、例えば、インターネット、公衆電話回線等が用いられる。
【００３１】
コンテンツ再生装置３は、モニタ４に接続されている。モニタ４は、コンテンツ再生装置３により再生されるコンテンツを表示してユーザ（視聴者）に提示する。なお、本実施の形態では、モニタ４が、コンテンツ再生装置３により再生されるコンテンツを表示しているが、本発明は特にこれに限定されず、コンテンツ再生装置３がモニタ４の機能を有していてもよい。
【００３２】
また、本実施の形態では、コンテンツ提供サーバ１及びＣＭ提供サーバ２がそれぞれ１つずつ設けられているが、本発明は特にこれに限定されず、コンテンツ提供サーバ１及びＣＭ提供サーバ２は、放送局毎に複数設けてもよい。さらに、コンテンツ再生装置３は、家庭毎に複数設けてもよい。
【００３３】
図２は、図１に示すコンテンツ提供サーバ１の構成を示すブロック図である。図２に示すコンテンツ提供サーバ１は、通信部１１、コンテンツ管理部１２、コンテンツ記憶部１３、コンテンツリスト記憶部１４、コンテンツ分割部１５、暗号化処理部１６及びコンテンツ生成部１７を備えて構成される。
【００３４】
コンテンツ記憶部１３は、複数のコンテンツデータを記憶している。コンテンツデータは、放送局が放送電波として送信する番組データであり、画像データ及び音声データのうち少なくとも一方を含む。通常、放送局が送信する番組データにはＣＭ情報が含まれるが、コンテンツデータにはＣＭ情報が含まれない。また、ＣＭデータは、動画、静止画、音声及び文字などによって提供される商業的な情報である。
【００３５】
コンテンツリスト記憶部１４は、コンテンツデータを複数に分割するための分割位置をコンテンツデータ毎に記憶する。図３は、コンテンツリスト記憶部１４が記憶するコンテンツリストの一例を示す図である。
【００３６】
図３に示すように、コンテンツリスト１００は、コンテンツの名称を表すコンテンツ名１０１と、コンテンツを分割する数を表す分割数１０２と、コンテンツを分割するタイミングを表す分割タイミング１０３とで構成される。コンテンツ名１０１には、“コンテンツ１”、“コンテンツ２”、“コンテンツ３”、・・・、“コンテンツＮ”等のコンテンツ名が格納される。分割数１０２には、“３”、“２”、“１”等の各コンテンツの分割数が格納される。分割タイミング１０３は、１つのコンテンツを分割するタイミングと、分割された分割コンテンツを識別する識別情報（ＩＤ）とが格納される。
【００３７】
例えば、図３において、“コンテンツ１”というコンテンツは、３つの分割コンテンツに分割され、それぞれの分割コンテンツは、“Ａ”、“Ｂ”、“Ｃ”というＩＤを有している。そして、分割コンテンツＡは、“００：１５：００”というタイミングで分割され、分割コンテンツＢは、“００：３０：００”というタイミングで分割され、分割コンテンツＣは、“００：４５：００”というタイミングで分割される。つまり、コンテンツ１は、０分〜１５分までの分割コンテンツＡと、１５分〜３０分までの分割コンテンツＢと、３０分〜４５分までの分割コンテンツＣとに分割される。
【００３８】
図２に戻って、通信部１１は、コンテンツ再生装置３から送信されたコンテンツ要求を受信する。コンテンツ要求には、視聴者が再生を所望するコンテンツを特定する情報が含まれている。コンテンツ管理部１２は、通信部１１によって受信されたコンテンツ要求に基づいてコンテンツ記憶部１３に記憶されているコンテンツデータを読み出してコンテンツ分割部１５へ出力する。また、コンテンツ管理部１２は、コンテンツリスト記憶部１４に記憶されているコンテンツリストを参照し、読み出されたコンテンツデータの分割タイミングをコンテンツ分割部１５へ出力する。
【００３９】
コンテンツ分割部１５は、分割タイミングに応じてコンテンツデータを複数の分割コンテンツデータに分割し、分割した各分割コンテンツデータを暗号化処理部１６へ出力する。暗号化処理部１６は、暗号鍵を用いてコンテンツデータを暗号化する。暗号化処理部１６は、それぞれ異なる暗号鍵を用いて各分割コンテンツデータを暗号化してコンテンツ生成部１７へ出力する。また、暗号化処理部１６は、暗号化処理に用いた暗号鍵を通信部１１へ出力する。なお、本実施の形態では、各分割コンテンツデータをそれぞれ異なる暗号鍵を用いて暗号化しているが、本発明は特にこれに限定されず、各分割コンテンツデータを同一の暗号鍵を用いて暗号化してもよい。
【００４０】
コンテンツ生成部１７は、暗号化処理部１６によって暗号化された各分割コンテンツデータに、コンテンツ再生装置３がＣＭ提供サーバ２に暗号鍵を要求する暗号鍵要求タイミング、ＣＭを再生するＣＭデータ再生タイミング及び暗号化処理に用いられた暗号鍵の暗号鍵ＩＤを付加し、暗号鍵要求タイミング、ＣＭデータ再生タイミング及び暗号鍵ＩＤが付加された各分割コンテンツデータを合成して１つのコンテンツデータを生成する。
【００４１】
通信部１１は、コンテンツ生成部１７によって暗号鍵要求タイミング、ＣＭデータ再生タイミング及び暗号鍵ＩＤが付加されたコンテンツデータをコンテンツ再生装置３へ送信すると共に、暗号化処理部１６で用いられた暗号鍵と暗号鍵ＩＤとを対応付けた暗号鍵情報をＣＭ提供サーバ２へ送信する。
【００４２】
図４は、図１に示すＣＭ提供サーバ２の構成を示すブロック図である。図４に示すＣＭ提供サーバ２は、通信部２１、ＣＭデータ管理部２２、ＣＭデータリスト記憶部２３、電子透かし付与部２４、第１のＣＭデータ記憶部２５及び第２のＣＭデータ記憶部２６を備えて構成される。
【００４３】
通信部２１は、コンテンツ提供サーバ１の通信部１１によって送信された暗号鍵情報を受信してＣＭデータ管理部２２へ出力する。ＣＭデータリスト記憶部２３は、暗号鍵ＩＤとＣＭデータとを対応付けて記憶する。図５は、ＣＭデータリスト記憶部２３が記憶するＣＭデータリストの一例を示す図である。
【００４４】
図５に示すＣＭデータリスト１１０は、ＣＭデータ名１１１と暗号鍵ＩＤ１１２とで構成される。ＣＭデータ名１１１には、“ＣＭデータ１”、“ＣＭデータ２”、“ＣＭデータ３”等のＣＭデータ名が格納される。暗号鍵ＩＤ１１２には、“Ａ”、“Ｂ”、“Ｃ”等の各ＣＭデータに対応する暗号鍵の暗号鍵ＩＤが格納される。
【００４５】
図４に戻って、ＣＭデータ管理部２２は、通信部２１によって受信された暗号鍵情報に含まれる暗号鍵を電子透かし付与部２４へ出力する。また、ＣＭデータ管理部２２は、ＣＭデータリスト記憶部２３に記憶されているＣＭデータリストを参照し、通信部２１によって受信された暗号鍵情報に含まれる暗号鍵ＩＤに対応するＣＭデータ名を電子透かし付与部２４へ出力する。
【００４６】
電子透かし付与部２４は、ＣＭデータ管理部２２から出力されるＣＭデータ名に対応するＣＭデータを第１のＣＭデータ記憶部２５から読み出し、読み出したＣＭデータに暗号鍵を電子透かしとして埋め込み、暗号鍵が埋め込まれたＣＭデータを第２のＣＭデータ記憶部２６に記憶する。
【００４７】
なお、本実施の形態では、ＣＭデータの動画情報、静止画情報あるいは音声情報の標本値に暗号鍵を埋め込む電子透かし技術や、ＣＭデータの動画情報、静止画情報あるいは音声情報の周波数成分に暗号鍵を埋め込む電子透かし技術等が用いられる。
【００４８】
このように、暗号鍵が、ＣＭデータの動画情報、静止画情報あるいは音声情報の標本値あるいは周波数成分へ電子透かし情報として埋め込まれるので、暗号鍵がＣＭデータに埋め込まれていることをユーザに意識させることなく、ＣＭデータを再生することができる。第１のＣＭデータ記憶部２５は複数のＣＭデータを記憶する。第２のＣＭデータ記憶部２６は、電子透かし付与部２４によって暗号鍵が埋め込まれたＣＭデータを記憶する。
【００４９】
また、通信部２１は、コンテンツ再生装置３によって送信された暗号鍵要求を受信してＣＭデータ管理部２２へ出力する。ＣＭデータ管理部２２は、暗号鍵要求に含まれる暗号鍵ＩＤに対応する暗号鍵が埋め込まれたＣＭデータを第２のＣＭデータ記憶部２６から読み出して通信部２１へ出力する。通信部２１は、ＣＭデータ管理部２２によって読み出されたＣＭデータをコンテンツ再生装置３へ送信する。
【００５０】
図６は、図１に示すコンテンツ再生装置３の構成を示すブロック図である。図６に示すコンテンツ再生装置３は、通信部３１、コンテンツ管理部３２、コンテンツ記憶部３３、再生部３４、暗号鍵取得部３５、暗号鍵記憶部３６及び復号化処理部３７を備えて構成される。
【００５１】
通信部３１は、コンテンツデータを要求するコンテンツ要求をコンテンツ提供サーバ１へ送信すると共に、コンテンツ提供サーバ１の通信部１１によって送信されたコンテンツデータを受信してコンテンツ管理部３２へ出力する。なお、不図示の操作部が、視聴者が所望するコンテンツの選択を受け付ける。通信部３１は、受け付けられたコンテンツを特定するためのコンテンツ特定情報を含むコンテンツ要求をコンテンツ提供サーバ１へ送信する。また、通信部３１は、暗号鍵を要求する暗号鍵要求をＣＭ提供サーバ２へ送信すると共に、ＣＭ提供サーバ２の通信部２１によって送信されたＣＭデータを受信してコンテンツ管理部３２へ出力する。
【００５２】
コンテンツ記憶部３３は、コンテンツ提供サーバ１によって送信されたコンテンツデータを記憶する。コンテンツ管理部３２は、通信部３１によって出力されたコンテンツデータをコンテンツ記憶部３３へ記憶する。コンテンツ管理部３２は、コンテンツ記憶部３３に記憶されているコンテンツデータから暗号鍵要求タイミング、ＣＭデータ再生タイミング及び暗号鍵ＩＤを読み出し、暗号鍵要求タイミングに応じて暗号鍵ＩＤを含む暗号鍵要求を作成して通信部３１へ出力する。
【００５３】
なお、コンテンツ管理部３２は、コンテンツ記憶部３３に記憶されているコンテンツデータが複数の分割コンテンツデータで構成される場合、各分割コンテンツデータに付加されている暗号鍵要求タイミング、ＣＭデータ再生タイミング及び暗号鍵ＩＤを読み出し、暗号鍵要求タイミングに応じて暗号鍵ＩＤを含む暗号鍵要求を作成して通信部３１へ出力する。
【００５４】
コンテンツ管理部３２は、通信部３１によって出力されたＣＭデータをＣＭデータ再生タイミングに応じて再生部３４へ出力する。再生部３４は、コンテンツ管理部３２によって出力されたＣＭデータを再生してモニタ４に表示する。暗号鍵取得部３５は、再生部３４によって再生されたＣＭデータに埋め込まれている暗号鍵を取得して暗号鍵記憶部３６へ出力する。
【００５５】
なお、暗号鍵取得部３５は、ＣＭデータの動画情報、静止画情報あるいは音声情報の標本値に埋め込まれた電子透かし情報、あるいはＣＭデータの動画情報、静止画情報あるいは音声情報の周波数成分に埋め込まれた電子透かし情報から暗号鍵を取得する。このように、ＣＭデータの動画情報、静止画情報あるいは音声情報の標本値あるいは周波数成分に埋め込まれた電子透かし情報から暗号鍵が取得されるので、暗号鍵がＣＭデータに埋め込まれていることをユーザに意識させることなく、ＣＭデータを再生することができる。暗号鍵記憶部３６は、暗号鍵取得部３５によって取得された暗号鍵を記憶する。
【００５６】
また、本実施の形態における暗号鍵記憶部３６は、例えば、ＲＡＭ（ランダムアクセスメモリ）及びＥＥＰＲＯＭ（Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の半導体メモリ、ハードディスク等の外部記憶装置、Ｂ−ＣＡＳ（ＢＳ−Ｃｏｎｄｉｔｉｏｎａｌ  Ａｃｃｅｓｓ  Ｓｙｓｔｅｍｓ）カード等のＩＣカードで構成される。なお、コンテンツ再生装置３は、暗号鍵をＢ−ＣＡＳカードに記憶する場合、Ｂ−ＣＡＳカードにアクセスするためのカードアクセス部をさらに備える。カードアクセス部は、通信部３１によって受信されたコンテンツデータに付加されている暗号鍵識別情報に対応付けて、暗号鍵取得部３５によって取得された暗号鍵をＢ−ＣＡＳカードに記憶する。
【００５７】
コンテンツ管理部３２は、通信部３１によって出力されたコンテンツデータ（分割コンテンツデータ）を復号化処理部３７へ出力する。復号化処理部３７は、コンテンツ管理部３２によって出力されたコンテンツデータを復号化するための暗号鍵を暗号鍵記憶部３６から読み出し、読み出した暗号鍵を用いて暗号化されたコンテンツデータを復号化して再生部３４へ出力する。再生部３４は、復号化処理部３７によって出力されたコンテンツデータを再生してモニタ４に表示する。
【００５８】
次に、本実施の形態における再生制御回路について説明する。図７は、本実施の形態における再生制御回路の構成を示すブロック図である。図７に示す再生制御回路３００は、コンテンツデータ受信指示回路３０１、暗号鍵識別情報送信指示回路３０２、ＣＭデータ受信指示回路３０３、ＣＭデータ再生指示回路３０４、暗号鍵取得指示回路３０５、復号化指示回路３０６及びコンテンツデータ再生指示回路３０７を備えて構成される。再生制御回路３００は、例えばＬＳＩ（大規模集積回路）等で構成され、通信部３１、再生部３４、暗号鍵取得部３５及び復号化処理部３７等の再生装置３の各部を制御する。
【００５９】
コンテンツデータ受信指示回路３０１は、コンテンツデータを暗号化する際に用いた暗号鍵を識別するための暗号鍵識別情報が付加されたコンテンツデータを受信するための指示を通信部３１に対して行う。暗号鍵識別情報送信指示回路３０２は、コンテンツデータ受信指示回路３０１による指示によって受信されたコンテンツデータに付加されている暗号鍵識別情報を送信するための指示を通信部３１に対して行う。
【００６０】
ＣＭデータ受信指示回路３０３は、暗号鍵識別情報に対応する暗号鍵が埋め込まれたＣＭデータを受信するための指示を通信部３１に対して行う。ＣＭデータ再生指示回路３０４は、ＣＭデータ受信指示回路３０３による指示によって受信されたＣＭデータを再生するための指示を再生部３４に対して行う。暗号鍵取得指示回路３０５は、ＣＭデータ再生指示回路３０４による指示によって再生されるＣＭデータに埋め込まれた暗号鍵を取得するための指示を暗号鍵取得部３５に対して行う。
【００６１】
復号化指示回路３０６は、コンテンツデータ受信指示回路３０１による指示によって受信されたコンテンツデータを、暗号鍵取得指示回路３０５による指示によって取得された暗号鍵を用いて復号化するための指示を復号化処理部３７に対して行う。コンテンツデータ再生指示回路３０７は、復号化指示回路３０６による指示によって復号化されたコンテンツデータを再生するための指示を再生部３４に対して行う。
【００６２】
本実施の形態のコンテンツ再生装置３において、再生プログラムが例えばＲＯＭ（リードオンリメモリ）に記憶されており、再生プログラムが通信部３１、コンテンツ管理部３２、コンテンツ記憶部３３、再生部３４、暗号鍵取得部３５、暗号鍵記憶部３６及び復号化処理部３７としてＣＰＵ（中央演算処理装置）を機能させる。
【００６３】
なお、本実施の形態において、コンテンツ管理システムが情報管理システムの一例に相当し、コンテンツ提供サーバ１が情報提供サーバの一例に相当し、ＣＭ提供サーバ２が情報提供サーバの一例に相当し、コンテンツ再生装置３が再生装置の一例に相当し、コンテンツデータが第１の情報の一例に相当し、ＣＭデータが第２の情報の一例に相当する。
【００６４】
また、本実施の形態において、暗号化処理部１６が暗号化手段の一例に相当し、コンテンツ生成部１７が暗号鍵識別情報付加手段及び再生タイミング付加手段の一例に相当し、コンテンツ提供サーバ１の通信部１１が送信手段の一例に相当し、コンテンツ分割部１５が分割手段の一例に相当する。また、本実施の形態において、ＣＭ提供サーバ２の通信部２１が暗号鍵受信手段、暗号鍵識別情報受信手段及びコマーシャルメッセージデータ送信手段の一例に相当し、電子透かし付与部２４が埋め込み手段の一例に相当する。
【００６５】
さらに、本実施の形態において、コンテンツ再生装置３の通信部３１がコンテンツデータ受信手段、暗号鍵識別情報送信手段及びコマーシャルメッセージデータ受信手段の一例に相当し、コンテンツ記憶部３３がコンテンツデータ記録手段の一例に相当し、再生部３４がコマーシャルメッセージデータ再生手段及びコンテンツデータ再生手段の一例に相当し、暗号鍵取得部３５が取得手段の一例に相当し、暗号鍵記憶部３６が記憶手段の一例に相当し、復号化処理部３７が復号化手段の一例に相当する。
【００６６】
さらにまた、本実施の形態において、再生制御回路３００が再生制御回路の一例に相当し、コンテンツデータ受信指示回路３０１が第１の情報受信指示回路の一例に相当し、暗号鍵識別情報送信指示回路３０２が暗号鍵識別情報送信指示回路の一例に相当し、ＣＭデータ受信指示回路３０３が第２の情報受信指示回路の一例に相当し、ＣＭデータ再生指示回路３０４が第２の情報再生指示回路の一例に相当し、暗号鍵取得指示回路３０５が取得指示回路の一例に相当し、復号化指示回路３０６が復号化指示回路の一例に相当し、コンテンツデータ再生指示回路３０７が第１の情報再生指示回路の一例に相当する。
【００６７】
次に、上記のように構成されたコンテンツ管理システムの動作について説明する。なお、コンテンツ管理システムの動作について、以下の説明では、コンテンツ送信処理と、コンテンツ再生処理とに分けて説明する。図８及び図９は、図１に示すコンテンツ管理システムのコンテンツ送信処理を説明するためのフローチャートである。
【００６８】
まず、ステップＳ１０１において、コンテンツ再生装置３の通信部３１は、コンテンツデータの送信を要求するためのコンテンツ要求をコンテンツ提供サーバ１へ送信する。次に、ステップＳ２０１において、コンテンツ提供サーバ１の通信部１１は、コンテンツ再生装置３の通信部３１によって送信されたコンテンツ要求を受信する。コンテンツ要求には、ユーザが所望するコンテンツを特定するためのコンテンツ特定情報が含まれている。通信部１１は、コンテンツ要求に含まれるコンテンツ特定情報をコンテンツ管理部１２へ出力する。
【００６９】
次に、ステップＳ２０２において、コンテンツ管理部１２は、通信部１１から出力されたコンテンツ特定情報に基づいてコンテンツ記憶部１３に記憶されているコンテンツデータを読み出してコンテンツ分割部１５へ出力する。また、コンテンツ管理部１２は、コンテンツリスト記憶部１４に記憶されているコンテンツリストを参照し、読み出したコンテンツデータの分割数及び分割タイミングをコンテンツ分割部１５へ出力する。なお、分割タイミングには、コンテンツデータを分割した各分割コンテンツデータを識別するためのＩＤ及びコンテンツデータを分割する時間が含まれる。
【００７０】
次に、ステップＳ２０３において、コンテンツ分割部１５は、コンテンツ管理部１２によって出力されたコンテンツデータを分割し、分割した各分割コンテンツデータを暗号化処理部１６へ出力する。このとき、コンテンツ分割部１５は、コンテンツ管理部１２によって出力された分割数及び分割タイミングに応じてコンテンツデータを分割する。
【００７１】
次に、ステップＳ２０４において、暗号化処理部１６は、コンテンツ分割部１５によって出力された各分割コンテンツデータに対し、それぞれ異なる暗号鍵を用いて暗号化してコンテンツ生成部１７へ出力する。また、暗号化処理部１６は、各分割コンテンツデータを暗号化する際に用いられた暗号鍵と、当該暗号鍵を識別するための暗号鍵ＩＤとを対応付けて通信部１１へ出力する。
【００７２】
次に、ステップＳ２０５において、通信部１１は、各分割コンテンツデータを暗号化する際に用いられた暗号鍵に暗号鍵ＩＤを対応付けた暗号鍵情報をＣＭ提供サーバ２へ送信する。次に、ステップＳ３０１において、ＣＭ提供サーバ２の通信部２１は、コンテンツ提供サーバ１の通信部１１によって送信された暗号鍵情報を受信し、受信した暗号鍵情報をＣＭデータ管理部２２へ出力する。ＣＭデータ管理部２２は、暗号鍵情報に含まれる暗号鍵を電子透かし付与部２４へ出力する。また、ＣＭデータ管理部２２は、ＣＭデータリスト記憶部２３に記憶されているＣＭデータリストを参照し、暗号鍵情報に含まれる暗号鍵ＩＤに対応付けられているＣＭデータ名を電子透かし付与部２４へ出力する。
【００７３】
次に、ステップＳ３０２において、電子透かし付与部２４は、ＣＭデータ管理部２２によって出力されたＣＭデータ名に対応するＣＭデータを第１のＣＭデータ記憶部２５から読み出す。次に、ステップＳ３０３において、電子透かし付与部２４は、ＣＭデータ管理部２２によって出力された暗号鍵を、第１のＣＭデータ記憶部２５から読み出したＣＭデータに電子透かしとして埋め込む。次に、ステップＳ３０４において、電子透かし付与部２４は、暗号鍵が埋め込まれたＣＭデータを第２のＣＭデータ記憶部２６に記憶する。
【００７４】
一方、通信部１１によって暗号鍵情報が送信された後、ステップＳ２０６において、コンテンツ生成部１７は、暗号化処理部１６によって出力された複数の分割コンテンツデータのそれぞれに対し、コンテンツ再生装置３が暗号鍵を要求するタイミングを表す暗号鍵要求タイミングを付加する。暗号鍵要求タイミングは、コンテンツデータを再生するタイミングより前に設定される。
【００７５】
次に、ステップＳ２０７において、コンテンツ生成部１７は、暗号化処理部１６によって出力された複数の分割コンテンツデータのそれぞれに対し、各分割コンテンツデータを暗号化する際に用いられた暗号鍵を識別するための暗号鍵ＩＤを付加する。
【００７６】
次に、ステップＳ２０８において、コンテンツ生成部１７は、暗号化処理部１６によって出力された複数の分割コンテンツデータのそれぞれに対し、ＣＭデータを再生するための再生タイミングを付加する。再生タイミングは、コンテンツ再生装置３が暗号鍵要求をＣＭ提供サーバ２へ送信してから、ＣＭデータをＣＭ提供サーバ２から受信するまでの時間に応じて予め設定される。コンテンツ生成部１７は、暗号鍵要求タイミング、暗号鍵ＩＤ及びＣＭデータ再生タイミングが付加された分割コンテンツデータを１つのコンテンツデータに合成して通信部１１へ出力する。
【００７７】
次に、ステップＳ２０９において、通信部１１は、各分割コンテンツデータに暗号鍵要求タイミング、暗号鍵ＩＤ及びＣＭデータ再生タイミングが付加されたコンテンツデータをコンテンツ再生装置３へ送信する。
【００７８】
次に、ステップＳ１０２において、コンテンツ再生装置３の通信部３１は、コンテンツ提供サーバ１の通信部１１によって送信されたコンテンツデータを受信し、受信したコンテンツデータをコンテンツ管理部３２へ出力する。次に、ステップＳ１０３において、コンテンツ管理部３２は、通信部３１によって出力されたコンテンツデータをコンテンツ記憶部３３に記憶する。
【００７９】
図１０及び図１１は、図１に示すコンテンツ管理システムのコンテンツ再生処理を説明するためのフローチャートである。コンテンツ管理システムにおけるコンテンツ再生処理は、コンテンツ再生装置３とＣＭ提供サーバ２とで行われる。
【００８０】
まず、ステップＳ１１１において、コンテンツ再生装置３のコンテンツ管理部３２は、コンテンツ記憶部３３に記憶されているコンテンツデータに付加されている暗号鍵要求タイミングを読み出す。なお、コンテンツデータが複数の分割コンテンツデータで構成されている場合、コンテンツ管理部３２は、先頭の分割コンテンツデータに付加されている暗号鍵要求タイミングを読み出す。なお、以下の説明では、コンテンツデータが複数の分割コンテンツデータで構成されているものとして説明するが、コンテンツデータが複数に分割されていない場合であっても同様の処理が行われる。
【００８１】
次に、ステップＳ１１２において、コンテンツ管理部３２は、コンテンツ記憶部３３に記憶されている分割コンテンツデータに付加されているＣＭデータ再生タイミングを読み出す。次に、ステップＳ１１３において、コンテンツ管理部３２は、コンテンツ記憶部３３に記憶されている分割コンテンツデータに付加されている暗号鍵ＩＤを読み出す。
【００８２】
次に、ステップＳ１１４において、コンテンツ管理部３２は、コンテンツ記憶部３３から読み出した暗号鍵要求タイミングに達したか否かを判断する。ここで、暗号鍵要求タイミングに達していないと判断された場合（ステップＳ１１４でＮＯ）、暗号鍵要求タイミングに達するまで待機状態となる。
【００８３】
一方、暗号鍵要求タイミングに達したと判断された場合（ステップＳ１１４でＹＥＳ）、ステップＳ１１５において、コンテンツ管理部３２は、ＣＭ提供サーバ２に暗号鍵を要求するための暗号鍵要求を作成して通信部３１へ出力する。暗号鍵要求には、これから再生しようとしている分割コンテンツデータが暗号化される際に用いられた暗号鍵を識別するための暗号鍵ＩＤが含まれる。通信部３１は、コンテンツ管理部３２によって出力された暗号鍵要求をＣＭ提供サーバ２へ送信する。
【００８４】
次に、ステップＳ３１１において、ＣＭ提供サーバ２の通信部２１は、コンテンツ再生装置３の通信部３１によって送信された暗号鍵要求を受信してＣＭデータ管理部２２へ出力する。次に、ステップＳ３１２において、ＣＭデータ管理部２２は、通信部２１によって出力された暗号鍵要求に含まれる暗号鍵ＩＤに対応する暗号鍵が埋め込まれたＣＭデータを第２のＣＭデータ記憶部２６から読み出して通信部２１へ出力する。次に、ステップＳ３１３において、通信部２１は、ＣＭデータ管理部２２によって出力されたＣＭデータをコンテンツ再生装置３へ送信する。
【００８５】
次に、ステップＳ１１６において、コンテンツ再生装置３の通信部３１は、ＣＭ提供サーバ２の通信部２１によって送信されたＣＭデータを受信してコンテンツ管理部３２へ出力する。次に、ステップＳ１１７において、コンテンツ管理部３２は、コンテンツ記憶部３３から読み出したＣＭデータ再生タイミングに達したか否かを判断する。ここで、ＣＭデータ再生タイミングに達していないと判断された場合（ステップＳ１１７でＮＯ）、ＣＭデータ再生タイミングに達するまで待機状態となる。
【００８６】
一方、ＣＭデータ再生タイミングに達したと判断された場合（ステップＳ１１７でＹＥＳ）、ステップＳ１１８において、コンテンツ管理部３２は、通信部３１によって出力されたＣＭデータを再生部３４へ出力する。再生部３４は、コンテンツ管理部３２によって出力されたＣＭデータを再生してモニタ４に表示する。
【００８７】
なお、モニタ４は、表示画面にサブウインドウを表示し、当該サブウインドウ内にＣＭデータを表示してもよい。また、コンテンツ再生装置３がリモートコントローラを備えており、このリモートコントローラが表示装置を備えている場合、リモートコントローラの表示装置にＣＭデータを表示してもよい。
【００８８】
次に、ステップＳ１１９において、暗号鍵取得部３５は、再生部３４によって再生されるＣＭデータに埋め込まれている電子透かしを検出し、検出した電子透かしに含まれる暗号鍵を取得する。そして、暗号鍵取得部３５は、ＣＭデータから取得した暗号鍵を暗号鍵記憶部３６に記憶する。
【００８９】
次に、ステップＳ１２０において、コンテンツ管理部３２は、コンテンツ記憶部３３から分割コンテンツデータを読み出して復号化処理部３７へ出力する。分割コンテンツデータが入力されると、復号化処理部３７は、暗号鍵記憶部３６に記憶されている暗号鍵を読み出す。そして、復号化処理部３７は、読み出した暗号鍵を用いて、コンテンツ管理部３２によって出力された分割コンテンツデータを復号化する。復号化処理部３７は、復号化した分割コンテンツデータを再生部３４へ出力する。次に、ステップＳ１２１において、再生部３４は、復号化処理部３７によって出力された分割コンテンツデータを再生してモニタ４に表示する。
【００９０】
次に、ステップＳ１２２において、コンテンツ管理部３２は、コンテンツ記憶部３３に記憶されている１つのコンテンツデータに含まれる全ての分割コンテンツデータの再生が終了したか否かを判断する。ここで、全ての分割コンテンツデータの再生が終了していないと判断された場合（ステップＳ１２２でＮＯ）、ステップＳ１１１の処理に戻り、コンテンツ管理部３２は、コンテンツ記憶部３３に記憶されている他の分割コンテンツデータの暗号鍵要求タイミングを読み出す。一方、全ての分割コンテンツデータの再生が終了したと判断された場合（ステップＳ１２２でＹＥＳ）、コンテンツ管理部３２は、コンテンツ再生処理を終了する。
【００９１】
なお、本実施の形態では、コンテンツ再生装置３からコンテンツ提供サーバ１へコンテンツ要求が送信されてからコンテンツデータが再生されるまでの処理、すなわち、図８及び図９に示すコンテンツ送信処理と図１０及び図１１に示すコンテンツ再生処理とが連続して行われるが、本発明は特にこれに限定されない。コンテンツ再生装置３がコンテンツ要求を送信してからコンテンツデータを記憶するまでの処理、すなわち、図８及び図９に示すコンテンツ送信処理を行った後、不図示の操作部から再生指示があった場合に、暗号鍵要求タイミングを読み出してからコンテンツデータを再生するまでの処理、すなわち、図１０及び図１１に示すコンテンツ再生処理を行ってもよい。
【００９２】
このように、コンテンツ提供サーバ１において、暗号鍵を用いてコンテンツデータが暗号化され、暗号化されたコンテンツデータに、当該コンテンツデータを暗号化する際に用いた暗号鍵を識別するための暗号鍵ＩＤが付加される。そして、暗号鍵ＩＤが付加されたコンテンツデータがコンテンツ再生装置３へ送信されると共に、暗号鍵がＣＭ提供サーバ２へ送信される。次に、ＣＭ提供サーバ２において、コンテンツ提供サーバ１によって送信された暗号鍵が受信され、受信された暗号鍵がＣＭデータに埋め込まれる。そして、コンテンツ再生装置３から送信される暗号鍵ＩＤが受信され、受信された暗号鍵ＩＤに対応する暗号鍵が埋め込まれたＣＭデータがコンテンツ再生装置３へ送信される。続いて、コンテンツ再生装置３において、コンテンツ提供サーバ１によって送信されたコンテンツデータが受信され、受信されたコンテンツデータに付加されている暗号鍵ＩＤがＣＭ提供サーバ２へ送信される。そして、ＣＭ提供サーバ２によって送信されたＣＭデータが受信される。そして、ＣＭデータが再生され、再生されるＣＭデータに埋め込まれた暗号鍵が取得される。その後、コンテンツデータが、暗号鍵を用いて復号化され、復号化されたコンテンツデータが再生される。
【００９３】
したがって、ＣＭデータを再生して暗号鍵を取得しない限り、コンテンツデータを復号化して再生することができないので、情報提供者が視聴者に対して視聴させたいＣＭを確実に視聴させることができる。また、コンテンツデータに付加された暗号鍵識別情報に対応する暗号鍵が埋め込まれたＣＭが再生されるので、情報提供者が所望するＣＭデータに暗号鍵を埋め込んでおくことにより情報提供者が所望するＣＭを視聴者に提供することができる。例えば、最新のＣＭデータに暗号鍵を埋め込んでおくことにより、コンテンツデータを再生する際に最新のＣＭを視聴者に提供することができる。
【００９４】
また、コンテンツ提供サーバ１において、コンテンツデータが複数の分割コンテンツデータに分割され、暗号鍵を用いて各分割コンテンツデータが暗号化される。そして、暗号化された各分割コンテンツデータのそれぞれに当該各分割コンテンツデータを暗号化する際に用いた暗号鍵を識別するための暗号鍵ＩＤが付加され、暗号鍵ＩＤが付加された各分割コンテンツデータがコンテンツ再生装置３へ送信されると共に、暗号鍵がＣＭ提供サーバ２へ送信される。次に、ＣＭ提供サーバ２において、コンテンツ提供サーバ１によって送信された暗号鍵が受信され、受信された暗号鍵が各分割コンテンツデータに対応する各ＣＭデータに埋め込まれる。そして、コンテンツ再生装置３から送信される暗号鍵ＩＤが受信され、受信された暗号鍵ＩＤに対応する暗号鍵が埋め込まれたＣＭデータがコンテンツ再生装置３へ送信される。続いて、コンテンツ再生装置３において、コンテンツ提供サーバ１によって送信された分割コンテンツデータが受信され、受信された分割コンテンツデータに付加されている暗号鍵ＩＤがＣＭ提供サーバ２へ送信される。そして、ＣＭ提供サーバ２によって送信されたＣＭデータが受信される。そして、ＣＭデータが再生され、再生されるＣＭデータに埋め込まれた暗号鍵が取得される。その後、分割コンテンツデータが、暗号鍵を用いて復号化され、復号化された分割コンテンツデータが再生される。
【００９５】
したがって、１つのコンテンツデータを複数に分割した分割コンテンツデータのそれぞれに暗号鍵ＩＤを付加し、暗号鍵ＩＤに対応する暗号鍵が埋め込まれたＣＭが再生されるので、分割コンテンツデータ毎に所望のＣＭを視聴者に提供することができる。
【００９６】
さらに、コンテンツ提供サーバ１において、暗号化されたコンテンツデータに、ＣＭを再生する再生タイミングが付加され、コンテンツ再生装置３において、コンテンツデータに付加されている再生タイミングに応じて、ＣＭデータが再生される。したがって、再生タイミングに応じてＣＭが再生されるので、所望のタイミングでＣＭを再生することができる。
【００９７】
ここで、コンテンツ提供サーバ１におけるコンテンツデータの生成について具体的に説明する。図１２は、コンテンツ提供サーバ１におけるコンテンツデータの生成について具体的に説明するための模式図である。
【００９８】
図１２に示すように、まず、コンテンツ分割部１５は、コンテンツデータ毎に予め設定されている分割数及び分割タイミングに基づいて、元コンテンツデータを複数の分割コンテンツデータに分割する。図１２に示す例では、元コンテンツデータが３つの分割コンテンツデータＡ，Ｂ，Ｃに分割されている。
【００９９】
次に、暗号化処理部１６は、暗号鍵Ａを用いて分割コンテンツデータＡを暗号化し、暗号鍵Ｂを用いて分割コンテンツデータＢを暗号化し、暗号鍵Ｃを用いて分割コンテンツデータＣを暗号化する。本実施の形態において、各分割コンテンツデータＡ，Ｂ，Ｃを暗号化するために用いられる暗号鍵Ａ、Ｂ，Ｃはそれぞれ異なる暗号鍵であるが、暗号鍵Ａ，Ｂ，Ｃを同一の暗号鍵としてもよい。
【０１００】
次に、コンテンツ生成部１７は、暗号化された各暗号分割コンテンツデータＡ，Ｂ，Ｃのそれぞれに対して、暗号鍵要求タイミングＡ，Ｂ，Ｃ、ＣＭデータ再生タイミングＡ，Ｂ，Ｃ及び暗号鍵ＩＤ−Ａ，Ｂ，Ｃを付加する。そして、コンテンツ生成部１７は、暗号鍵要求タイミングＡ，Ｂ，Ｃ、ＣＭデータ再生タイミングＡ，Ｂ，Ｃ及び暗号鍵ＩＤ−Ａ，Ｂ，Ｃを付加した暗号分割コンテンツデータＡ，Ｂ，Ｃを合成して１つのコンテンツデータとする。
【０１０１】
図１２に示す例では、暗号分割コンテンツデータＡに暗号鍵要求タイミングＡ、ＣＭデータ再生タイミングＡ及び暗号鍵ＩＤ−Ａが付加され、暗号分割コンテンツデータＢに暗号鍵要求タイミングＢ、ＣＭデータ再生タイミングＢ及び暗号鍵ＩＤ−Ｂが付加され、暗号分割コンテンツデータＣに暗号鍵要求タイミングＣ、ＣＭデータ再生タイミングＣ及び暗号鍵ＩＤ−Ｃが付加されている。
【０１０２】
なお、本実施の形態では、各暗号分割コンテンツデータＡ，Ｂ，Ｃの先頭部分に、暗号鍵要求タイミングＡ，Ｂ，Ｃ、ＣＭデータ再生タイミングＡ，Ｂ，Ｃ及び暗号鍵ＩＤ−Ａ，Ｂ，Ｃを付加しているが、本発明は特にこれに限定されず、暗号分割コンテンツデータＡの先頭部分に、暗号鍵要求タイミングＡ，Ｂ，Ｃ、ＣＭデータ再生タイミングＡ，Ｂ，Ｃ及び暗号鍵ＩＤ−Ａ，Ｂ，Ｃを付加してもよい。
【０１０３】
この場合、コンテンツ再生装置３は、各暗号分割コンテンツデータを再生する毎に暗号鍵要求タイミング、ＣＭデータ再生タイミング及び暗号鍵ＩＤを読み出すのではなく、各暗号分割コンテンツデータを再生する前に、各暗号分割コンテンツデータの暗号鍵要求タイミング、ＣＭデータ再生タイミング及び暗号鍵ＩＤを読み出す。
【０１０４】
続いて、ＣＭ提供サーバ２におけるＣＭデータの電子透かし挿入について具体的に説明する。図１３は、ＣＭ提供サーバ２におけるＣＭデータの電子透かし挿入について具体的に説明するための模式図である。
【０１０５】
通信部２１は、暗号鍵ＩＤ−Ａ，Ｂ，Ｃが対応付けられた暗号鍵Ａ，Ｂ，Ｃをコンテンツ提供サーバ１から受信する。ＣＭデータ管理部２２は、ＣＭデータリスト記憶部２３に記憶されているＣＭデータリストから暗号鍵ＩＤ−Ａ，Ｂ，Ｃに対応するＣＭデータＡ，Ｂ，Ｃを特定する。そして、電子透かし付与部２４は、第１のＣＭデータ記憶部２５からＣＭデータ管理部２２によって特定されたＣＭデータＡ，Ｂ，Ｃを読み出し、それぞれに暗号鍵Ａ，Ｂ，Ｃを電子透かしとして埋め込む。電子透かし付与部２４は、暗号鍵Ａ，Ｂ，Ｃが電子透かしとして埋め込まれたＣＭデータＡ，Ｂ，Ｃを第２のＣＭデータ記憶部２６に記憶する。
【０１０６】
そして、コンテンツ再生装置３から暗号鍵要求が受信された場合、当該暗号鍵要求に含まれる暗号鍵ＩＤに対応する暗号鍵が埋め込まれているＣＭデータが第２のＣＭデータ記憶部２６から読み出され、コンテンツ再生装置３へ送信される。
【０１０７】
なお、本実施の形態において、電子透かし付与部２４は、コンテンツデータの内容に応じたＣＭデータに暗号鍵を埋め込む。すなわち、ＣＭデータリスト記憶部２３は、コンテンツデータを暗号化する際に用いられた暗号鍵に、当該コンテンツデータの内容に応じたＣＭデータを対応付けたＣＭデータリストを記憶する。
【０１０８】
このように、コンテンツデータの内容に応じたＣＭデータに暗号鍵が埋め込まれるので、視聴するコンテンツデータの内容に応じたＣＭを視聴者に提供することができ、ＣＭの宣伝効果を向上させることができる。
【０１０９】
また、電子透かし付与部２４は、ユーザの嗜好に応じたＣＭデータに暗号鍵を埋め込んでもよい。すなわち、コンテンツ再生装置３は、ユーザによるキーワードの入力を受け付け、受け付けたキーワードを暗号鍵要求に含めてＣＭ提供サーバ２へ送信する。ＣＭ提供サーバ２は、キーワードと、当該キーワードに関連するＣＭデータとを予め対応付けて記憶しておき、受信したキーワードに対応するＣＭデータを読み出す。そして、暗号鍵要求に含まれる暗号鍵ＩＤに対応する暗号鍵を、読み出したＣＭデータに埋め込んでコンテンツ再生装置３へ送信する。
【０１１０】
このように、ユーザの嗜好に応じたＣＭデータに暗号鍵が埋め込まれるので、ユーザの嗜好に応じたＣＭをユーザに提供することができ、ユーザの所望するＣＭを提供することができる。
【０１１１】
なお、本実施の形態におけるコンテンツ再生装置３は、コンテンツデータを再生する度に、暗号鍵が埋め込まれたＣＭデータをＣＭ提供サーバ２から取得しているが、本発明は特にこれに限定されない。コンテンツ再生装置３は、コンテンツデータに付加されている暗号鍵識別情報に対応付けて、１度取得した暗号鍵を暗号鍵記憶部３６に記憶してもよい。そして、既に暗号鍵を取得しているコンテンツデータの再生が指示された場合、暗号鍵が埋め込まれたＣＭデータをＣＭ提供サーバ２から取得せずに、ＣＭデータ再生タイミングに応じて暗号鍵記憶部３６に記憶されている暗号鍵を読み出し、コンテンツデータを復号化して再生してもよい。この場合、暗号鍵が埋め込まれていたＣＭデータも記憶しておくことにより、コンテンツデータだけでなく、ＣＭデータ再生タイミングに応じてＣＭデータも再生することができる。
【０１１２】
また、通信部３１によって受信されたＣＭデータを、コンテンツデータに付加されている暗号鍵識別情報に対応付けて記憶してもよい。そして、既に暗号鍵を取得しているコンテンツデータの再生が指示された場合、暗号鍵が埋め込まれたＣＭデータをＣＭ提供サーバ２から取得せずに、ＣＭデータ再生タイミングに応じてＣＭデータを読み出して再生してもよい。
【０１１３】
このように、コンテンツデータに付加されている暗号鍵識別情報に対応付けて、ＣＭデータあるいは暗号鍵が記憶されるので、コンテンツデータを再生する度に暗号鍵を受信する必要がなくなり、ＣＭ提供サーバ２へのアクセス回数を低減することができ、ネットワーク負荷を低減することができる。
【０１１４】
さらに、本実施の形態では、ＣＭデータを再生してモニタ４の表示画面全体に表示しているが、本発明は特にこれに限定されず、ＣＭデータを再生してモニタ４の表示画面上の一部分に表示してもよい。この場合、コンテンツ提供サーバ１のコンテンツ生成部１７は、暗号化処理部１６によって暗号化されたコンテンツデータに、ＣＭデータを再生する際の表示画面上の位置を表す再生位置情報を付加する。そして、コンテンツ再生装置３の再生部３４は、通信部３１によって受信されたコンテンツデータに付加されている再生位置情報に基づいて決定される表示画面上の位置に、通信部３１によって受信されたＣＭデータを再生する。なお、コンテンツ生成部１７が再生位置情報付加手段の一例に相当する。
【０１１５】
図１４は、表示画面上の一部分にＣＭデータを再生する場合の表示画面の一例を示す図である。図１４に示すように、表示画面２００は、ＣＭデータを再生するためのＣＭ再生領域２０１を含む。コンテンツ生成部１７は、表示画面２００におけるＣＭ再生領域２０１の左上部２０２の座標及び右下部２０３の座標を再生位置情報としてコンテンツデータに付加する。再生部３４は、コンテンツデータに付加されている再生位置情報に基づいて、ＣＭ再生領域２０１の表示画面２００上の位置を特定し、特定したＣＭ再生領域２０１内にＣＭデータを再生する。
【０１１６】
このように、コンテンツ提供サーバ１において、暗号化されたコンテンツデータに、ＣＭデータを再生する際の表示画面上の位置を表す再生位置情報が付加され、コンテンツ再生装置３において、コンテンツデータに付加されている再生位置情報に基づいて決定される表示画面上の位置に、ＣＭデータが再生される。したがって、表示画面全体にＣＭを再生するのではなく、表示画面上の所望の位置にＣＭを再生することができる。なお、コンテンツ生成部１７は、暗号化されたコンテンツデータに、再生位置情報と再生タイミングとを付加してもよい。
【０１１７】
また、本実施の形態におけるＣＭデータは、動画情報、静止画情報及び音声情報だけでなく、文字情報であってもよい。すなわち、ＣＭ提供サーバ２の電子透かし付与部２４は、ＣＭデータの文字情報に暗号鍵を埋め込み、通信部２１は、暗号鍵が埋め込まれたＣＭデータをコンテンツ再生装置３へ送信する。コンテンツ再生装置３の再生部３４は、ＣＭデータを再生して文字情報をモニタ４に表示する。暗号鍵取得部３５は、再生部３４によって再生されたＣＭデータに埋め込まれている暗号鍵を取得する。
【０１１８】
さらに、文字情報は、インターネット上の情報を取得するためのＵＲＬ（Ｕｎｉｆｏｒｍ  Ｒｅｓｏｕｒｃｅ  Ｌｏｃａｔｏｒ）を含み、再生部３４は、ＣＭデータを再生して、このＵＲＬをモニタ４に表示する。このとき、モニタ４は、ＵＲＬをクリック可能に表示し、不図示の操作部は、ユーザによるＵＲＬのクリック操作を受け付ける。コンテンツ管理部３２は、表示されているＵＲＬがユーザにより選択されたか否かを判定する。ＵＲＬが選択されたと判定された場合、復号化処理部３７は、コンテンツデータを復号化するための暗号鍵を暗号鍵記憶部３６から読み出し、読み出した暗号鍵を用いて暗号化されたコンテンツデータを復号化して再生部３４へ出力する。
【０１１９】
このように、モニタ４に表示されるＵＲＬがユーザに選択されない限り、コンテンツデータが復号化されないので、ＵＲＬが選択されることによりユーザがＣＭを見たことを確認することができる。
【０１２０】
さらにまた、ＵＲＬがクリック可能に表示され、ユーザによるクリック操作が受け付けられた場合、コンテンツ管理部３２は、クリックされたＵＲＬを内部のメモリに記憶してもよい。また、コンテンツ管理部３２は、メモリに記憶されたＵＲＬを読み出し、読み出したＵＲＬをクリック可能な態様でモニタ４に表示してもよい。このように、ＣＭとして表示されたＵＲＬがクリックされ、クリックされたＵＲＬが記憶され、記憶されたＵＲＬが表示される。したがって、ユーザはＣＭやコンテンツを視聴した後、ＵＲＬを選択することにより、当該ＵＲＬにリンクされた所望の情報を見ることができる。
【０１２１】
また、本実施の形態では、コンテンツ管理システムは、コンテンツ提供サーバ１によって提供されたコンテンツデータ及びＣＭ提供サーバ２によって提供されたＣＭデータを再生するコンテンツ再生装置３を備えるとしているが、本発明は特にこれに限定されない。コンテンツ管理システムは、コンテンツ提供サーバ１によって提供されたコンテンツデータを記録するコンテンツ記録装置を備えてもよい。
【０１２２】
図１５は、本実施の形態のコンテンツ記録装置の構成を示すブロック図である。なお、図１５において、図６と同じ構成については同じ符号を付して説明を省略し、異なる構成のみを説明する。
【０１２３】
図１５に示すコンテンツ記録装置３’は、通信部３１、コンテンツ管理部３２、コンテンツ記憶部３３、再生部３４、暗号鍵取得部３５、暗号鍵記憶部３６、復号化処理部３７、結合データ記憶部３８及び可換記録媒体記録部３９を備えて構成される。
【０１２４】
コンテンツ管理部３２は、通信部３１によってＣＭデータが受信された場合、コンテンツ記憶部３３に記憶されているコンテンツデータを読み出し、通信部３１によって出力されるＣＭデータと、コンテンツ記憶部３３から読み出されたコンテンツデータとを結合させ、結合させた結合データを結合データ記憶部３８に記憶する。結合データ記憶部３８は、ＣＭデータとコンテンツデータとを結合させた結合データを記憶する。なお、コンテンツ記録装置３’が記録装置の一例に相当し、結合データ記憶部３８が結合記録手段の一例に相当する。
【０１２５】
そして、コンテンツ管理部３２は、暗号鍵要求タイミングに達したとしても、暗号鍵要求を作成せず、ＣＭデータ再生タイミングに達した場合に、結合データ記憶部３８に記憶されている結合データに含まれるＣＭデータを読み出して再生部３４へ出力する。そして、ＣＭデータに埋め込まれている暗号鍵が取得され、取得された暗号鍵を用いてコンテンツデータが復号化されて再生される。
【０１２６】
また、コンテンツ管理部３２は、結合データ記憶部３８に記憶されている結合データを可換記録媒体記録部３９へ出力し、記録動作を制御する。可換記録媒体記録部３９は、結合データを可換記録媒体に記録する。例えば、可換記録媒体記録部３９としてはＤＶＤドライブが用いられる。また、記録用の可換記録媒体として、例えば、ＤＶＤ−ＲＡＭ、ＤＶＤ−Ｒ、ＣＤ−ＲＷ、ＣＤ−Ｒ、ＰＤ（Ｐｈａｓｅ  Ｃｈａｎｇｅ  Ｒｅｗｒｉｔａｂｌｅ  Ｄｉｓｋ）、Ｂｌｕ−ｒａｙ  Ｄｉｓｋ（ブルーレイディスク）等の光ディスク等が用いられる。さらに、コンテンツ管理部３２は、可換記録媒体記録部３９から可換記録媒体に記録されている結合データを読み出す。
【０１２７】
このように、コンテンツデータとＣＭデータとが結合して記録されるので、コンテンツデータとＣＭデータとが結合された結合データを可換記録媒体に記録することができる。また、ＣＭデータを受信することが不可能な状況であっても、可換記録媒体に記録されたコンテンツデータを再生することができる。さらに、ＣＭデータを結合するタイミングをコンテンツデータ内のＣＭデータ再生タイミングとすることにより、コンテンツデータの提供者が意図したタイミングでＣＭを再生することができる。
【０１２８】
次に、本実施の形態における記録制御回路について説明する。図１６は、本実施の形態における記録制御回路の構成を示すブロック図である。図１６に示す記録制御回路４００は、コンテンツデータ受信指示回路４０１、コンテンツデータ記録指示回路４０２、暗号鍵識別情報送信指示回路４０３、ＣＭデータ受信指示回路４０４、ＣＭデータ再生指示回路４０５、暗号鍵取得指示回路４０６、復号化指示回路４０７及びコンテンツデータ再生指示回路４０８を備えて構成される。記録制御回路４００は、例えばＬＳＩ（大規模集積回路）等で構成され、通信部３１、コンテンツ記憶部３３、再生部３４、暗号鍵取得部３５及び復号化処理部３７等のコンテンツ記録装置３’の各部を制御する。
【０１２９】
コンテンツデータ受信指示回路４０１は、コンテンツデータを暗号化する際に用いた暗号鍵を識別するための暗号鍵識別情報が付加されたコンテンツデータを受信するための指示を通信部３１に対して行う。コンテンツデータ記録指示回路４０２は、コンテンツデータ受信指示回路４０１による指示によって受信されたコンテンツデータを記録するための指示をコンテンツ記憶部３３に対して行う。暗号鍵識別情報送信指示回路４０３は、コンテンツデータ記録指示回路４０２による指示によって記録されたコンテンツデータに付加されている暗号鍵識別情報を送信するための指示を通信部３１に対して行う。
【０１３０】
ＣＭデータ受信指示回路４０４は、暗号鍵識別情報に対応する暗号鍵が埋め込まれたＣＭデータを受信するための指示を通信部３１に対して行う。ＣＭデータ再生指示回路４０５は、ＣＭデータ受信指示回路４０４による指示によって受信されたＣＭデータを再生するための指示を再生部３４に対して行う。暗号鍵取得指示回路４０６は、ＣＭデータ再生指示回路４０５による指示によって再生されるＣＭデータに埋め込まれた暗号鍵を取得するための指示を暗号鍵取得部３５に対して行う。
【０１３１】
復号化指示回路４０７は、コンテンツデータ記録指示回路４０２による指示によって記録されたコンテンツデータを、暗号鍵取得指示回路４０６による指示によって取得された暗号鍵を用いて復号化するための指示を復号化処理部３７に対して行う。コンテンツデータ再生指示回路４０８は、復号化指示回路４０７による指示によって復号化されたコンテンツデータを再生するための指示を再生部３４に対して行う。
【０１３２】
本実施の形態において、記録制御回路４００が記録制御回路の一例に相当し、コンテンツデータ受信指示回路４０１が第１の情報受信指示回路の一例に相当し、コンテンツデータ記録指示回路４０２が第１の情報記録指示回路の一例に相当し、暗号鍵識別情報送信指示回路４０３が暗号鍵識別情報送信指示回路の一例に相当し、ＣＭデータ受信指示回路４０４が第２の情報受信指示回路の一例に相当し、ＣＭデータ再生指示回路４０５が第２の情報再生指示回路の一例に相当し、暗号鍵取得指示回路４０６が取得指示回路の一例に相当し、復号化指示回路４０７が復号化指示回路の一例に相当し、コンテンツデータ再生指示回路４０８が第１の情報再生指示回路の一例に相当する。
【０１３３】
なお、上記の例では、復号化される前のコンテンツデータと、ＣＭデータとが結合された結合データを記憶するとしているが、本発明は特にこれに限定されず、復号化した後のコンテンツデータとＣＭデータとを結合して記憶してもよい。
【０１３４】
また、コンテンツ記録装置３’は、結合データ記憶部３８を備えない構成であってもよく、可換記録媒体記録部３９が、コンテンツデータを可換記録媒体に記録してもよい。この場合、コンテンツ管理部３２は、コンテンツ記憶部３３に記憶されているコンテンツデータを可換記録媒体記録部３９へ出力し、記録動作を制御する。そして、コンテンツ管理部３２は、ユーザによるコンテンツデータの再生指示があると、可換記録媒体記録部３９から可換記録媒体に記録されているコンテンツデータに付加されている暗号鍵要求タイミングを読み出す。
【０１３５】
また、本実施の形態のコンテンツ記録装置３’において、記録プログラムが例えばＲＯＭ（リードオンリメモリ）に記憶されており、記録プログラムが通信部３１、コンテンツ管理部３２、コンテンツ記憶部３３、再生部３４、暗号鍵取得部３５、暗号鍵記憶部３６、復号化処理部３７、結合データ記憶部３８及び可換記録媒体記録部３９としてＣＰＵを機能させる。
【０１３６】
さらに、本実施形態では、ＣＭなどの商用的なメッセージに関する情報を第２の情報として提供しているが、本発明は特にこれに限定されず、視聴するコンテンツに関連する非商用的な情報を第２の情報として提供してもよい。例えば、第１の情報提供サーバ（コンテンツ提供サーバ１）は、暗号化したゲームコンテンツデータ（第１の情報）をコンテンツ再生装置３へ送信する。第２の情報提供サーバ（ＣＭ提供サーバ２）は、例えば、レベル更新時、マップ更新時及びシナリオ更新時などのゲーム内における所定のポイントにおいてダウンロードする付加的な情報（第２の情報）、例えば、次のステージへの説明ファイルなどに暗号鍵を埋め込んでコンテンツ再生装置３へ送信する。コンテンツ再生装置３は、ゲーム内の所定のポイントにおいて、付加的な情報を取得して再生し、付加的な情報に含まれる暗号鍵を取得し、ゲームコンテンツを復号化する。
【０１３７】
次に、本発明の他の実施形態について説明する。上記の実施形態では、暗号化されたコンテンツ情報及び暗号鍵をＣＭ提供サーバ２へ送信しているが、他の実施形態では、暗号化されたコンテンツ情報をコンピュータ読み取り可能な記録媒体に記録し、暗号鍵のみをＣＭ提供サーバ２へ送信する。
【０１３８】
図１７は、他の実施形態におけるコンテンツ提供サーバの構成を示すブロック図である。なお、図１７において、図２に示すコンテンツ提供サーバ１と同じ構成については同じ符号を付している。以下の説明では、異なる構成についてのみ説明する。
【０１３９】
図１７に示すコンテンツ提供サーバ１’は、通信部１１、コンテンツ管理部１２、コンテンツ記憶部１３、コンテンツリスト記憶部１４、コンテンツ分割部１５、暗号化処理部１６、コンテンツ生成部１７、オーサリング部１８及び媒体記録部１９を備えて構成される。なお、本実施の形態において、オーサリング部１８及び媒体記録部１９が情報記録手段の一例に相当する。
【０１４０】
オーサリング部１８は、コンテンツ生成部１７によって暗号鍵要求タイミング、ＣＭデータ再生タイミング及び暗号鍵ＩＤが付加されたコンテンツデータを、記録媒体２０に応じた記録フォーマットに変換する。媒体記録部１９は、コンテンツデータを記録媒体２０に記録する。この記録媒体２０は、ユーザへ配布される。通信部１１は、暗号化処理部１６で用いられた暗号鍵と暗号鍵ＩＤとを対応付けた暗号鍵情報をＣＭ提供サーバ２へ送信する。なお、他の実施形態におけるＣＭ提供サーバの構成は、図４に示すＣＭ提供サーバ２の構成と同じであるので、説明を省略する。
【０１４１】
図１８は、他の実施形態におけるコンテンツ再生装置の構成を示すブロック図である。なお、図１８において、図６に示すコンテンツ再生装置３と同じ構成については同じ符号を付している。以下の説明では、異なる構成についてのみ説明する。
【０１４２】
図１８に示すコンテンツ再生装置３”は、通信部３１、コンテンツ管理部３２、コンテンツ記憶部３３、再生部３４、暗号鍵取得部３５、暗号鍵記憶部３６、復号化処理部３７及びコンテンツ情報読出部４０を備えて構成される。なお、本実施の形態において、コンテンツ情報読出部４０が第１の情報読出手段の一例に相当する。
【０１４３】
コンテンツ情報読出部４０は、記録媒体２０に記録されているコンテンツデータを読み出してコンテンツ管理部３２へ出力する。記録媒体２０には、暗号鍵要求タイミング、ＣＭデータ再生タイミング及び暗号鍵ＩＤが付加されたコンテンツデータが記録されている。
【０１４４】
コンテンツ記憶部３３は、コンテンツ情報読出部４０によって読み出されたコンテンツデータを記憶する。コンテンツ管理部３２は、コンテンツ情報読出部４０によって出力されたコンテンツデータをコンテンツ記憶部３３へ記憶する。コンテンツ管理部３２は、コンテンツ記憶部３３に記憶されているコンテンツデータから暗号鍵要求タイミング、ＣＭデータ再生タイミング及び暗号鍵ＩＤを読み出し、暗号鍵要求タイミングに応じて暗号鍵ＩＤを含む暗号鍵要求を作成して通信部３１へ出力する。また、コンテンツ管理部３２は、コンテンツ情報読出部４０によって出力されたコンテンツデータ（分割コンテンツデータ）を復号化処理部３７へ出力する。
【０１４５】
通信部３１は、暗号鍵を要求する暗号鍵要求をＣＭ提供サーバ２へ送信すると共に、ＣＭ提供サーバ２の通信部２１によって送信されたＣＭデータを受信してコンテンツ管理部３２へ出力する。
【０１４６】
このように、コンテンツ再生装置３”において再生されるコンテンツ情報が、暗号鍵を用いて暗号化され、暗号化されたコンテンツ情報に、当該コンテンツ情報を暗号化する際に用いた暗号鍵を識別するための暗号鍵ＩＤが付加される。そして、暗号鍵ＩＤが付加されたコンテンツ情報が記録媒体２０に記録され、暗号鍵がＣＭ提供サーバ２へ送信される。
【０１４７】
したがって、暗号鍵を取得しない限り、記録媒体２０に記録されたコンテンツ情報を復号化して再生することができないので、暗号鍵をＣＭデータに埋め込み、ＣＭデータを再生しなければ暗号鍵を取得できないようにすることにより、情報提供者が視聴者に対して視聴させたいＣＭ情報を確実に視聴させることができる。
【０１４８】
また、コンテンツ情報を暗号化する際に用いた暗号鍵を識別するための暗号鍵ＩＤが付加されたコンテンツ情報が記録媒体２０から読み出され、読み出されたコンテンツ情報に付加されている暗号鍵ＩＤがＣＭ提供サーバ２へ送信される。そして、暗号鍵ＩＤに対応する暗号鍵が埋め込まれたＣＭデータが受信される。そして、ＣＭデータが再生され、再生されるＣＭデータに埋め込まれた暗号鍵が取得される。その後、コンテンツ情報が、暗号鍵を用いて復号化され、復号化されたコンテンツ情報が再生される。
【０１４９】
したがって、ＣＭデータを再生して暗号鍵を取得しない限り、記録媒体２０に記録されたコンテンツ情報を復号化して再生することができないので、情報提供者が視聴者に対して視聴させたいＣＭ情報を確実に視聴させることができる。また、コンテンツ情報に付加された暗号鍵ＩＤに対応する暗号鍵が埋め込まれたＣＭデータが再生されるので、情報提供者が所望するＣＭデータに暗号鍵を埋め込んでおくことにより情報提供者が所望するＣＭ情報を視聴者に提供することができる。
【０１５０】
なお、上述した具体的実施形態には以下の構成を有する発明が主に含まれている。
【０１５１】
本発明の一局面に係る情報管理システムは、第１の情報を提供する第１の情報提供サーバと、前記第１の情報とは異なる第２の情報を提供する第２の情報提供サーバと、前記第１の情報提供サーバによって提供された第１の情報及び前記第２の情報提供サーバによって提供された第２の情報を再生する再生装置とが互いに通信可能に接続された情報管理システムであって、前記第１の情報提供サーバは、暗号鍵を用いて前記第１の情報を暗号化する暗号化手段と、前記暗号化手段によって暗号化された第１の情報に、当該第１の情報を暗号化する際に用いた暗号鍵を識別するための暗号鍵識別情報を付加する暗号鍵識別情報付加手段と、前記暗号鍵識別情報付加手段によって前記暗号鍵識別情報が付加された第１の情報を前記再生装置へ送信すると共に、前記暗号鍵を前記第２の情報提供サーバへ送信する送信手段とを備え、前記第２の情報提供サーバは、前記第１の情報提供サーバの前記送信手段によって送信された前記暗号鍵を受信する暗号鍵受信手段と、前記暗号鍵受信手段によって受信された前記暗号鍵を第２の情報に埋め込む埋め込み手段と、前記再生装置から送信される前記暗号鍵識別情報を受信する暗号鍵識別情報受信手段と、前記暗号鍵識別情報受信手段によって受信された前記暗号鍵識別情報に対応する暗号鍵が埋め込まれた第２の情報を前記再生装置へ送信する第２の情報送信手段とを備え、前記再生装置は、前記第１の情報提供サーバの前記送信手段によって送信された前記第１の情報を受信する第１の情報受信手段と、前記第１の情報受信手段によって受信された前記第１の情報に付加されている前記暗号鍵識別情報を前記第２の情報提供サーバへ送信する暗号鍵識別情報送信手段と、前記第２の情報提供サーバの前記第２の情報送信手段によって送信された前記第２の情報を受信する第２の情報受信手段と、前記第２の情報受信手段によって受信された前記第２の情報を再生する第２の情報再生手段と、前記第２の情報再生手段によって再生される前記第２の情報に埋め込まれた前記暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段とを備える。
【０１５２】
本発明の他の局面に係る情報管理方法は、暗号化手段、暗号鍵識別情報付加手段及び送信手段を備えると共に第１の情報を提供する第１の情報提供サーバと、暗号鍵受信手段、埋め込み手段、暗号鍵識別情報受信手段及び第２の情報送信手段を備えると共に前記第１の情報とは異なる第２の情報を提供する第２の情報提供サーバと、第１の情報受信手段、暗号鍵識別情報送信手段、第２の情報受信手段、第２の情報再生手段、取得手段、復号化手段及び第１の情報再生手段を備えると共に前記第１の情報提供サーバによって提供された第１の情報及び前記第２の情報提供サーバによって提供された第２の情報を再生する再生装置とが互いに通信可能に接続された情報管理方法であって、前記第１の情報提供サーバの前記暗号化手段が、暗号鍵を用いて第１の情報を暗号化する暗号化ステップと、前記暗号鍵識別情報付加手段が、前記暗号化ステップにおいて暗号化された第１の情報に、当該第１の情報を暗号化する際に用いた暗号鍵を識別するための暗号鍵識別情報を付加する暗号鍵識別情報付加ステップと、前記送信手段が、前記暗号鍵識別情報付加ステップにおいて前記暗号鍵識別情報が付加された第１の情報を前記再生装置へ送信すると共に、前記暗号鍵を前記第２の情報提供サーバへ送信する送信ステップと、前記第２の情報提供サーバの前記暗号鍵受信手段が、前記第１の情報提供サーバの前記送信ステップにおいて送信された前記暗号鍵を受信する暗号鍵受信ステップと、前記埋め込み手段が、前記暗号鍵受信ステップにおいて受信された前記暗号鍵を第２の情報に埋め込む埋め込みステップと、前記再生装置の前記第１の情報受信手段が、前記第１の情報提供サーバの前記送信ステップにおいて送信された前記第１の情報を受信する第１の情報受信ステップと、前記暗号鍵識別情報送信手段が、前記第１の情報受信ステップにおいて受信された前記第１の情報に付加されている前記暗号鍵識別情報を前記第２の情報提供サーバへ送信する暗号鍵識別情報送信ステップと、前記第２の情報提供サーバの前記暗号鍵識別情報受信手段が、前記再生装置から送信される前記暗号鍵識別情報を受信する暗号鍵識別情報受信ステップと、前記第２の情報送信手段が、前記暗号鍵識別情報受信ステップにおいて受信された前記暗号鍵識別情報に対応する暗号鍵が埋め込まれた第２の情報を前記再生装置へ送信する第２の情報送信ステップと、前記再生装置の第２の情報受信手段が、前記第２の情報提供サーバの前記第２の情報送信ステップにおいて送信された前記第２の情報を受信する第２の情報受信ステップと、前記第２の情報再生手段が、前記第２の情報受信ステップにおいて受信された前記第２の情報を再生する第２の情報再生ステップと、前記取得手段が、前記第２の情報再生ステップにおいて再生される前記第２の情報に埋め込まれた前記暗号鍵を取得する取得ステップと、前記復号化手段が、前記第１の情報受信ステップにおいて受信された前記第１の情報を、前記取得ステップにおいて取得された前記暗号鍵を用いて復号化する復号化ステップと、前記第１の情報再生手段が、前記復号化ステップにおいて復号化された前記第１の情報を再生する第１の情報再生ステップとを含む。
【０１５３】
これらの構成によれば、第１の情報提供サーバにおいて、暗号鍵を用いて第１の情報が暗号化され、暗号化された第１の情報に、当該第１の情報を暗号化する際に用いた暗号鍵を識別するための暗号鍵識別情報が付加される。そして、暗号鍵識別情報が付加された第１の情報が再生装置へ送信されると共に、暗号鍵が第２の情報提供サーバへ送信される。次に、第２の情報提供サーバにおいて、第１の情報提供サーバによって送信された暗号鍵が受信され、受信された暗号鍵が第２の情報に埋め込まれる。そして、再生装置から送信される暗号鍵識別情報が受信され、受信された暗号鍵識別情報に対応する暗号鍵が埋め込まれた第２の情報が再生装置へ送信される。続いて、再生装置において、第１の情報提供サーバによって送信された第１の情報が受信され、受信された第１の情報に付加されている暗号鍵識別情報が第２の情報提供サーバへ送信される。そして、第２の情報提供サーバによって送信された第２の情報が受信される。そして、第２の情報が再生され、再生される第２の情報に埋め込まれた暗号鍵が取得される。その後、第１の情報が、暗号鍵を用いて復号化され、復号化された第１の情報が再生される。
【０１５４】
したがって、第２の情報を再生して暗号鍵を取得しない限り、第１の情報を復号化して再生することができないので、情報提供者が視聴者に対して視聴させたい第２の情報を確実に視聴させることができる。また、第１の情報に付加された暗号鍵識別情報に対応する暗号鍵が埋め込まれた第２の情報が再生されるので、情報提供者が所望する第２の情報に暗号鍵を埋め込んでおくことにより情報提供者が所望する第２の情報を視聴者に提供することができる。
【０１５５】
また、上記の情報管理システムにおいて、前記第１の情報は、コンテンツデータを含み、前記第２の情報は、コマーシャルメッセージデータを含むことが好ましい。この構成によれば、コマーシャルメッセージデータを再生して暗号鍵を取得しない限り、コンテンツデータを復号化して再生することができないので、情報提供者が視聴者に対して視聴させたいコマーシャルメッセージを確実に視聴させることができる。また、コンテンツデータに付加された暗号鍵識別情報に対応する暗号鍵が埋め込まれたコマーシャルメッセージが再生されるので、情報提供者が所望するコマーシャルメッセージデータに暗号鍵を埋め込んでおくことにより情報提供者が所望するコマーシャルメッセージを視聴者に提供することができる。
【０１５６】
また、上記の情報管理システムにおいて、前記第１の情報提供サーバは、前記コンテンツデータを複数の分割コンテンツデータに分割する分割手段をさらに備え、前記暗号化手段は、暗号鍵を用いて前記分割手段によって分割された各分割コンテンツデータを暗号化し、前記暗号鍵識別情報付加手段は、前記暗号化手段によって暗号化された各分割コンテンツデータのそれぞれに当該各分割コンテンツデータを暗号化する際に用いた暗号鍵を識別するための暗号鍵識別情報を付加し、前記第１の情報提供サーバの前記送信手段は、前記暗号鍵識別情報付加手段によって前記暗号鍵識別情報が付加された各分割コンテンツデータを前記再生装置へ送信すると共に、前記暗号鍵を前記第２の情報提供サーバへ送信し、前記第２の情報提供サーバの前記暗号鍵受信手段は、前記第１の情報提供サーバの前記送信手段によって送信された前記暗号鍵を受信し、前記埋め込み手段は、前記暗号鍵受信手段によって受信された前記暗号鍵を各分割コンテンツデータに対応する各コマーシャルメッセージデータに埋め込み、前記暗号鍵識別情報受信手段は、前記再生装置から送信される前記暗号鍵識別情報を受信し、前記第２の情報送信手段は、前記暗号鍵識別情報受信手段によって受信された前記暗号鍵識別情報に対応するコマーシャルメッセージデータを前記再生装置へ送信し、前記再生装置の前記第１の情報受信手段は、前記第１の情報提供サーバの前記送信手段によって送信された前記分割コンテンツデータを受信し、前記暗号鍵識別情報送信手段は、前記第１の情報受信手段によって受信された前記分割コンテンツデータに付加されている前記暗号鍵識別情報を前記第２の情報提供サーバへ送信し、前記第２の情報受信手段は、前記第２の情報提供サーバの前記第２の情報送信手段によって送信された前記コマーシャルメッセージデータを受信し、前記第２の情報再生手段は、前記第２の情報受信手段によって受信された前記コマーシャルメッセージデータを再生し、前記取得手段は、前記第２の情報再生手段によって再生される前記コマーシャルメッセージデータに埋め込まれた前記暗号鍵を取得し、前記復号化手段は、前記第１の情報受信手段によって受信された前記分割コンテンツデータを、前記取得手段によって取得された前記暗号鍵を用いて復号化し、前記第１の情報再生手段は、前記復号化手段によって復号化された分割コンテンツデータを再生することが好ましい。
【０１５７】
この構成によれば、第１の情報提供サーバにおいて、コンテンツデータが複数の分割コンテンツデータに分割され、暗号鍵を用いて各分割コンテンツデータが暗号化される。そして、暗号化された各分割コンテンツデータのそれぞれに当該各分割コンテンツデータを暗号化する際に用いた暗号鍵を識別するための暗号鍵識別情報が付加され、暗号鍵識別情報が付加された各分割コンテンツデータが再生装置へ送信されると共に、暗号鍵がコマーシャルメッセージ提供サーバへ送信される。次に、コマーシャルメッセージ提供サーバにおいて、第１の情報提供サーバによって送信された暗号鍵が受信され、受信された暗号鍵が各分割コンテンツデータに対応する各コマーシャルメッセージデータに埋め込まれる。そして、再生装置から送信される暗号鍵識別情報が受信され、受信された暗号鍵識別情報に対応する暗号鍵が埋め込まれたコマーシャルメッセージデータが再生装置へ送信される。続いて、再生装置において、第１の情報提供サーバによって送信された分割コンテンツデータが受信され、受信された分割コンテンツデータに付加されている暗号鍵識別情報がコマーシャルメッセージ提供サーバへ送信される。そして、コマーシャルメッセージ提供サーバによって送信されたコマーシャルメッセージデータが受信される。そして、コマーシャルメッセージデータが再生され、再生されるコマーシャルメッセージデータに埋め込まれた暗号鍵が取得される。その後、分割コンテンツデータが、暗号鍵を用いて復号化され、復号化された分割コンテンツデータが再生される。
【０１５８】
したがって、１つのコンテンツデータを複数に分割した分割コンテンツデータのそれぞれに暗号鍵識別情報を付加し、暗号鍵識別情報に対応する暗号鍵が埋め込まれたコマーシャルメッセージが再生されるので、分割コンテンツデータ毎に所望のコマーシャルメッセージを視聴者に提供することができる。
【０１５９】
また、上記の情報管理システムにおいて、前記第１の情報提供サーバは、前記暗号化手段によって暗号化されたコンテンツデータに、コマーシャルメッセージデータを再生する再生タイミングを付加する再生タイミング付加手段をさらに備え、前記再生装置の第２の情報再生手段は、前記第１の情報受信手段によって受信された前記コンテンツデータに付加されている前記再生タイミングに応じて、前記コマーシャルメッセージデータ受信手段によって受信された前記コマーシャルメッセージデータを再生することが好ましい。
【０１６０】
この構成によれば、第１の情報提供サーバにおいて、暗号化されたコンテンツデータに、コマーシャルメッセージデータを再生する再生タイミングが付加され、再生装置において、コンテンツデータに付加されている再生タイミングに応じて、コマーシャルメッセージデータが再生される。したがって、再生タイミングに応じてコマーシャルメッセージが再生されるので、所望のタイミングでコマーシャルメッセージを再生することができる。
【０１６１】
また、上記の情報管理システムにおいて、前記第１の情報提供サーバは、前記暗号化手段によって暗号化されたコンテンツデータに、コマーシャルメッセージデータを再生する際の表示画面上の位置を表す再生位置情報を付加する再生位置情報付加手段をさらに備え、前記再生装置の第２の情報再生手段は、前記第１の情報受信手段によって受信された前記コンテンツデータに付加されている前記再生位置情報に基づいて決定される表示画面上の位置に、前記第２の情報受信手段によって受信された前記コマーシャルメッセージデータを再生することが好ましい。
【０１６２】
この構成によれば、第１の情報提供サーバにおいて、暗号化されたコンテンツデータに、コマーシャルメッセージデータを再生する際の表示画面上の位置を表す再生位置情報が付加され、再生装置において、コンテンツデータに付加されている再生位置情報に基づいて決定される表示画面上の位置に、コマーシャルメッセージデータが再生される。したがって、表示画面全体にコマーシャルメッセージを再生するのではなく、表示画面上の所望の位置にコマーシャルメッセージを再生することができる。
【０１６３】
また、上記の情報管理システムにおいて、前記埋め込み手段は、前記コンテンツデータの内容に応じたコマーシャルメッセージデータに前記暗号鍵を埋め込むことが好ましい。この構成によれば、コンテンツデータの内容に応じたコマーシャルメッセージデータに暗号鍵が埋め込まれるので、視聴するコンテンツデータの内容に応じたコマーシャルメッセージを視聴者に提供することができ、コマーシャルメッセージの宣伝効果を向上させることができる。
【０１６４】
また、上記の情報管理システムにおいて、前記埋め込み手段は、ユーザの嗜好に応じたコマーシャルメッセージデータに前記暗号鍵を埋め込むことが好ましい。この構成によれば、ユーザの嗜好に応じたコマーシャルメッセージデータに暗号鍵が埋め込まれるので、ユーザの嗜好に応じたコマーシャルメッセージをユーザに提供することができ、ユーザの所望するコマーシャルメッセージを提供することができる。
【０１６５】
また、上記の情報管理システムにおいて、前記埋め込み手段は、前記暗号鍵を、前記コマーシャルメッセージデータの動画情報、静止画情報あるいは音声情報の標本値あるいは周波数成分へ電子透かし情報として埋め込むことが好ましい。
【０１６６】
この構成によれば、暗号鍵が、コマーシャルメッセージデータの動画情報、静止画情報あるいは音声情報の標本値あるいは周波数成分へ電子透かし情報として埋め込まれるので、暗号鍵がコマーシャルメッセージデータに埋め込まれていることをユーザに意識させることなく、コマーシャルメッセージデータを再生することができる。
【０１６７】
また、上記の情報管理システムにおいて、前記取得手段は、前記コマーシャルメッセージデータの動画情報、静止画情報あるいは音声情報の標本値あるいは周波数成分に埋め込まれた電子透かし情報から前記暗号鍵を取得することが好ましい。
【０１６８】
この構成によれば、コマーシャルメッセージデータの動画情報、静止画情報あるいは音声情報の標本値あるいは周波数成分に埋め込まれた電子透かし情報から暗号鍵が取得されるので、暗号鍵がコマーシャルメッセージデータに埋め込まれていることをユーザに意識させることなく、コマーシャルメッセージデータを再生することができる。
【０１６９】
また、上記の情報管理システムにおいて、前記再生装置は、前記第１の情報受信手段によって受信された前記第１の情報に付加されている前記暗号鍵識別情報に対応付けて、前記第２の情報受信手段によって受信されたコマーシャルメッセージデータあるいは前記取得手段によって取得された前記暗号鍵を記憶する記憶手段をさらに備えることが好ましい。
【０１７０】
この構成によれば、コンテンツデータに付加されている暗号鍵識別情報に対応付けて、コマーシャルメッセージデータあるいは暗号鍵が記憶されるので、コンテンツデータを再生する度に暗号鍵を受信する必要がなくなり、第２の情報提供サーバへのアクセス回数を低減することができ、ネットワーク負荷を低減することができる。
【０１７１】
本発明の他の局面に係る情報提供サーバは、再生装置において再生される情報を、暗号鍵を用いて暗号化する暗号化手段と、前記暗号化手段によって暗号化された前記情報に、当該情報を暗号化する際に用いた暗号鍵を識別するための暗号鍵識別情報を付加する暗号鍵識別情報付加手段と、前記暗号鍵識別情報付加手段によって前記暗号鍵識別情報が付加された前記情報及び前記暗号鍵を送信する送信手段とを備える。
【０１７２】
本発明の他の局面に係る情報提供方法は、暗号化手段が、再生装置において再生される情報を、暗号鍵を用いて暗号化する暗号化ステップと、暗号鍵識別情報付加手段が、前記暗号化ステップにおいて暗号化された前記情報に、当該情報を暗号化する際に用いた暗号鍵を識別するための暗号鍵識別情報を付加する暗号鍵識別情報付加ステップと、送信手段が、前記暗号鍵識別情報付加ステップにおいて前記暗号鍵識別情報が付加された前記情報及び前記暗号鍵を送信する送信ステップとを含む。
【０１７３】
これらの構成によれば、再生装置において再生される情報が、暗号鍵を用いて暗号化され、暗号化された情報に、当該情報を暗号化する際に用いた暗号鍵を識別するための暗号鍵識別情報が付加される。そして、暗号鍵識別情報が付加された情報及び暗号鍵が送信される。
【０１７４】
したがって、暗号鍵を取得しない限り、情報を復号化して再生することができないので、暗号鍵を他の情報に埋め込み、他の情報を再生しなければ暗号鍵を取得できないようにすることにより、情報提供者が視聴者に対して視聴させたい他の情報を確実に視聴させることができる。
【０１７５】
本発明の他の局面に係る情報提供サーバは、再生装置において再生される情報を、暗号鍵を用いて暗号化する暗号化手段と、前記暗号化手段によって暗号化された前記情報に、当該情報を暗号化する際に用いた暗号鍵を識別するための暗号鍵識別情報を付加する暗号鍵識別情報付加手段と、前記暗号鍵識別情報付加手段によって前記暗号鍵識別情報が付加された前記情報を記録媒体に記録する情報記録手段と、前記暗号鍵を送信する送信手段とを備える。
【０１７６】
この構成によれば、再生装置において再生される情報が、暗号鍵を用いて暗号化され、暗号化された情報に、当該情報を暗号化する際に用いた暗号鍵を識別するための暗号鍵識別情報が付加される。そして、暗号鍵識別情報が付加された情報が記録媒体に記録され、暗号鍵が送信される。
【０１７７】
したがって、暗号鍵を取得しない限り、記録媒体に記録された情報を復号化して再生することができないので、暗号鍵を他の情報に埋め込み、他の情報を再生しなければ暗号鍵を取得できないようにすることにより、情報提供者が視聴者に対して視聴させたい他の情報を確実に視聴させることができる。
【０１７８】
本発明の他の局面に係る情報提供サーバは、第１の情報を暗号化する際に用いた暗号鍵を受信する暗号鍵受信手段と、前記暗号鍵受信手段によって受信された前記暗号鍵を、前記第１の情報とは異なる第２の情報に埋め込む埋め込み手段と、前記暗号鍵を識別するための暗号鍵識別情報を受信する暗号鍵識別情報受信手段と、前記暗号鍵識別情報受信手段によって受信された前記暗号鍵識別情報に対応する暗号鍵が埋め込まれた第２の情報を送信する第２の情報送信手段とを備える。
【０１７９】
本発明の他の局面に係る情報提供方法は、暗号鍵受信手段が、第１の情報を暗号化する際に用いた暗号鍵を受信する暗号鍵受信ステップと、埋め込み手段が、前記暗号鍵受信ステップにおいて受信された前記暗号鍵を、前記第１の情報とは異なる第２の情報に埋め込む埋め込みステップと、暗号鍵識別情報受信手段が、前記暗号鍵を識別するための暗号鍵識別情報を受信する暗号鍵識別情報受信ステップと、第２の情報送信手段が、前記暗号鍵識別情報受信ステップにおいて受信された前記暗号鍵識別情報に対応する暗号鍵が埋め込まれた第２の情報を送信する第２の情報送信ステップとを含む。
【０１８０】
これらの構成によれば、第１の情報を暗号化する際に用いた暗号鍵が受信され、受信された暗号鍵が、第１の情報とは異なる第２の情報に埋め込まれる。そして、第１の情報を暗号化する際に用いた暗号鍵を識別するための暗号鍵識別情報が受信され、受信された暗号鍵識別情報に対応する暗号鍵が埋め込まれた第２の情報が送信される。
【０１８１】
したがって、暗号鍵を取得しない限り、第１の情報を復号化して再生することができないので、暗号鍵を第２の情報に埋め込み、第２の情報を再生しなければ暗号鍵を取得できないようにすることにより、情報提供者が視聴者に対して視聴させたい第２の情報を確実に視聴させることができる。
【０１８２】
本発明の他の局面に係る再生装置は、第１の情報を暗号化する際に用いた暗号鍵を識別するための暗号鍵識別情報が付加された第１の情報を受信する第１の情報受信手段と、前記第１の情報受信手段によって受信された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段とを備える。
【０１８３】
本発明の他の局面に係る再生方法は、第１の情報受信手段が、第１の情報を暗号化する際に用いた暗号鍵を識別するための暗号鍵識別情報が付加された第１の情報を受信する第１の情報受信ステップと、暗号鍵識別情報送信手段が、前記第１の情報受信ステップにおいて受信された前記第１の情報に付加されている前記暗号鍵識別情報を送信する暗号鍵識別情報送信ステップと、第２の情報受信手段が、前記暗号鍵識別情報に対応する前記暗号鍵が埋め込まれた、前記第１の情報とは異なる第２の情報を受信する第２の情報受信ステップと、第２の情報再生手段が、前記第２の情報受信ステップにおいて受信された前記第２の情報を再生する第２の情報再生ステップと、取得手段が、前記第２の情報再生ステップにおいて再生される前記第２の情報に埋め込まれた暗号鍵を取得する取得ステップと、復号化手段が、前記第１の情報受信ステップにおいて受信された前記第１の情報を、前記取得ステップにおいて取得された前記暗号鍵を用いて復号化する復号化ステップと、第１の情報再生手段が、前記復号化ステップにおいて復号化された前記第１の情報を再生する第１の情報再生ステップとを含む。
【０１８４】
本発明の他の局面に係る再生プログラムは、第１の情報を暗号化する際に用いた暗号鍵を識別するための暗号鍵識別情報が付加された第１の情報を受信する第１の情報受信手段と、前記第１の情報受信手段によって受信された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段としてコンピュータを機能させる。
【０１８５】
本発明の他の局面に係る再生プログラムを記録したコンピュータ読み取り可能な記録媒体は、第１の情報を暗号化する際に用いた暗号鍵を識別するための暗号鍵識別情報が付加された第１の情報を受信する第１の情報受信手段と、前記第１の情報受信手段によって受信された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報受信手段によって受信された前記第１の情報を、前記取得手段によって取得された前記暗号鍵を用いて復号化する復号化手段と、前記復号化手段によって復号化された前記第１の情報を再生する第１の情報再生手段としてコンピュータを機能させる再生プログラムを記録している。
【０１８６】
本発明の他の局面に係る再生制御回路は、第１の情報を暗号化する際に用いた暗号鍵を識別するための暗号鍵識別情報が付加された第１の情報を受信するための指示を行う第１の情報受信指示回路と、前記第１の情報受信指示回路による指示によって受信された前記第１の情報に付加されている前記暗号鍵識別情報を送信するための指示を行う暗号鍵識別情報送信指示回路と、前記暗号鍵識別情報に対応する前記暗号鍵が埋め込まれた、前記第１の情報とは異なる第２の情報を受信するための指示を行う第２の情報受信指示回路と、前記第２の情報受信指示回路による指示によって受信された前記第２の情報を再生するための指示を行う第２の情報再生指示回路と、前記第２の情報再生指示回路による指示によって再生される前記第２の情報に埋め込まれた暗号鍵を取得するための指示を行う取得指示回路と、前記第１の情報受信指示回路による指示によって受信された前記第１の情報を、前記取得指示回路による指示によって取得された前記暗号鍵を用いて復号化するための指示を行う復号化指示回路と、前記復号化指示回路による指示によって復号化された前記第１の情報を再生するための指示を行う第１の情報再生指示回路とを備える。
【０１８７】
これらの構成によれば、第１の情報を暗号化する際に用いた暗号鍵を識別するための暗号鍵識別情報が付加された第１の情報が受信され、受信された第１の情報に付加されている暗号鍵識別情報が送信される。そして、暗号鍵識別情報に対応する暗号鍵が埋め込まれた、第１の情報とは異なる第２の情報が受信される。そして、第２の情報が再生され、再生される第２の情報に埋め込まれた暗号鍵が取得される。その後、第１の情報が、暗号鍵を用いて復号化され、復号化された第１の情報が再生される。
【０１８８】
したがって、第２の情報を再生して暗号鍵を取得しない限り、第１の情報を復号化して再生することができないので、情報提供者が視聴者に対して視聴させたい第２の情報を確実に視聴させることができる。また、第１の情報に付加された暗号鍵識別情報に対応する暗号鍵が埋め込まれた第２の情報が再生されるので、情報提供者が所望する第２の情報に暗号鍵を埋め込んでおくことにより情報提供者が所望する第２の情報を視聴者に提供することができる。
【０１８９】
本発明の他の局面に係る再生装置は、第１の情報を暗号化する際に用いた暗号鍵を識別するための暗号鍵識別情報が付加された第１の情報が記録された記録媒体から、前記第１の情報を読み出す第１の情報読出手段と、前記第１の情報読出手段によって読み出された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報読出手段によって読み出された前記第１の情報を、前記取得手段によって取得された前記暗号鍵を用いて復号化する復号化手段と、前記復号化手段によって復号化された前記第１の情報を再生する第１の情報再生手段とを備える。
【０１９０】
この構成によれば、第１の情報を暗号化する際に用いた暗号鍵を識別するための暗号鍵識別情報が付加された第１の情報が記録媒体から読み出され、読み出された第１の情報に付加されている暗号鍵識別情報が送信される。そして、暗号鍵識別情報に対応する暗号鍵が埋め込まれた、第１の情報とは異なる第２の情報が受信される。そして、第２の情報が再生され、再生される第２の情報に埋め込まれた暗号鍵が取得される。その後、第１の情報が、暗号鍵を用いて復号化され、復号化された第１の情報が再生される。
【０１９１】
したがって、第２の情報を再生して暗号鍵を取得しない限り、記録媒体に記録された第１の情報を復号化して再生することができないので、情報提供者が視聴者に対して視聴させたい第２の情報を確実に視聴させることができる。また、第１の情報に付加された暗号鍵識別情報に対応する暗号鍵が埋め込まれた第２の情報が再生されるので、情報提供者が所望する第２の情報に暗号鍵を埋め込んでおくことにより情報提供者が所望する第２の情報を視聴者に提供することができる。
【０１９２】
本発明の他の局面に係る記録装置は、第１の情報を暗号化する際に用いた暗号鍵を識別するための暗号鍵識別情報が付加された第１の情報を受信する第１の情報受信手段と、前記第１の情報受信手段によって受信された前記第１の情報を記録する第１の情報記録手段と、前記第１の情報記録手段によって記録された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報記録手段によって記録された前記第１の情報を、前記取得手段によって取得された前記暗号鍵を用いて復号化する復号化手段と、前記復号化手段によって復号化された前記第１の情報を再生する第１の情報再生手段とを備える。
【０１９３】
本発明の他の局面に係る記録方法は、第１の情報受信手段が、第１の情報を暗号化する際に用いた暗号鍵を識別するための暗号鍵識別情報が付加された第１の情報を受信する第１の情報受信ステップと、第１の情報記録手段が、第１の情報受信ステップにおいて受信された前記第１の情報を記録する第１の情報記録ステップと、暗号鍵識別情報送信手段が、前記第１の情報記録ステップにおいて記録された前記第１の情報に付加されている前記暗号鍵識別情報を送信する暗号鍵識別情報送信ステップと、第２の情報受信手段が、前記暗号鍵識別情報に対応する前記暗号鍵が埋め込まれた、前記第１の情報とは異なる第２の情報を受信する第２の情報受信ステップと、第２の情報再生手段が、前記第２の情報受信ステップにおいて受信された前記第２の情報を再生する第２の情報再生ステップと、取得手段が、前記第２の情報再生ステップにおいて再生される前記第２の情報に埋め込まれた暗号鍵を取得する取得ステップと、復号化手段が、前記第１の情報記録ステップにおいて記録された前記第１の情報を、前記取得ステップにおいて取得された前記暗号鍵を用いて復号化する復号化ステップと、第１の情報再生手段が、前記復号化ステップにおいて復号化された前記第１の情報を再生する第１の情報再生ステップとを含む。
【０１９４】
本発明の他の局面に係る記録プログラムは、第１の情報を暗号化する際に用いた暗号鍵を識別するための暗号鍵識別情報が付加された第１の情報を受信する第１の情報受信手段と、前記第１の情報受信手段によって受信された前記第１の情報を記録する第１の情報記録手段と、前記第１の情報記録手段によって記録された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報記録手段によって記録された前記第１の情報を、前記取得手段によって取得された前記暗号鍵を用いて復号化する復号化手段と、前記復号化手段によって復号化された前記第１の情報を再生する第１の情報再生手段としてコンピュータを機能させる。
【０１９５】
本発明の他の局面に係る記録プログラムを記録したコンピュータ読み取り可能な記録媒体は、第１の情報を暗号化する際に用いた暗号鍵を識別するための暗号鍵識別情報が付加された第１の情報を受信する第１の情報受信手段と、前記第１の情報受信手段によって受信された前記第１の情報を記録する第１の情報記録手段と、前記第１の情報記録手段によって記録された前記第１の情報に付加されている前記暗号鍵識別情報を送信する暗号鍵識別情報送信手段と、前記暗号鍵識別情報に対応する前記暗号鍵が埋め込まれた、前記第１の情報とは異なる第２の情報を受信する第２の情報受信手段と、前記第２の情報受信手段によって受信された前記第２の情報を再生する第２の情報再生手段と、前記第２の情報再生手段によって再生される前記第２の情報に埋め込まれた暗号鍵を取得する取得手段と、前記第１の情報記録手段によって記録された前記第１の情報を、前記取得手段によって取得された前記暗号鍵を用いて復号化する復号化手段と、前記復号化手段によって復号化された前記第１の情報を再生する第１の情報再生手段としてコンピュータを機能させる記録プログラムを記録している。
【０１９６】
本発明の他の局面に係る記録制御回路は、第１の情報を暗号化する際に用いた暗号鍵を識別するための暗号鍵識別情報が付加された第１の情報を受信するための指示を行う第１の情報受信指示回路と、前記第１の情報受信指示回路による指示によって受信された前記第１の情報を記録するための指示を行う第１の情報記録指示回路と、前記第１の情報記録指示回路による指示によって記録された前記第１の情報に付加されている前記暗号鍵識別情報を送信するための指示を行う暗号鍵識別情報送信指示回路と、前記暗号鍵識別情報に対応する前記暗号鍵が埋め込まれた、前記第１の情報とは異なる第２の情報を受信するための指示を行う第２の情報受信指示回路と、前記第２の情報受信指示回路による指示によって受信された前記第２の情報を再生するための指示を行う第２の情報再生指示回路と、前記第２の情報再生指示回路による指示によって再生される前記第２の情報に埋め込まれた暗号鍵を取得するための指示を行う取得指示回路と、前記第１の情報記録指示回路による指示によって記録された前記第１の情報を、前記取得指示回路による指示によって取得された前記暗号鍵を用いて復号化するための指示を行う復号化指示回路と、前記復号化指示回路による指示によって復号化された前記第１の情報を再生するための指示を行う第１の情報再生指示回路とを備える。
【０１９７】
これらの構成によれば、第１の情報を暗号化する際に用いた暗号鍵を識別するための暗号鍵識別情報が付加された第１の情報が受信され、受信された第１の情報が記録され、記録された第１の情報に付加されている暗号鍵識別情報が送信される。そして、暗号鍵識別情報に対応する暗号鍵が埋め込まれた、第１の情報とは異なる第２の情報が受信される。そして、第２の情報が再生され、再生される第２の情報に埋め込まれた暗号鍵が取得される。その後、第１の情報が、暗号鍵を用いて復号化され、復号化された第１の情報が再生される。
【０１９８】
したがって、第２の情報を再生して暗号鍵を取得しない限り、第１の情報を復号化して再生することができないので、情報提供者が視聴者に対して視聴させたい第２の情報を確実に視聴させることができる。また、第１の情報に付加された暗号鍵識別情報に対応する暗号鍵が埋め込まれた第２の情報が再生されるので、情報提供者が所望する第２の情報に暗号鍵を埋め込んでおくことにより情報提供者が所望する第２の情報を視聴者に提供することができる。さらに、第１の情報が記録されるので、複数回数第１の情報を再生する場合、第１の情報を再生する度に当該第１の情報を受信する必要がなくなり、第１の情報を受信するための時間を短縮することができ、ネットワーク負荷を低減することができる。
【０１９９】
また、上記の記録装置において、前記第１の情報記録手段によって記録された前記第１の情報と、前記第２の情報受信手段によって受信された前記第２の情報とを結合して記録する結合記録手段をさらに備えることが好ましい。
【０２００】
この構成によれば、第１の情報と第２の情報とが結合して記録されるので、第１の情報と第２の情報とが結合されたデータを可換記録媒体に記録することができる。また、第２の情報を受信することが不可能な状況であっても、可換記録媒体に記録された第１の情報を再生することができる。
【産業上の利用可能性】
【０２０１】
本発明に係る情報管理システム、情報管理方法、情報提供サーバ、情報提供方法、再生装置、再生方法、再生プログラム、再生プログラムを記録したコンピュータ読み取り可能な記録媒体、再生制御回路、記録装置、記録方法、記録プログラム、記録プログラムを記録したコンピュータ読み取り可能な記録媒体及び記録制御回路は、情報提供者が視聴者に対して視聴させたい情報を確実に視聴させることができるとともに、情報提供者が所望する情報を視聴者に提供することができ、第１の情報を提供する第１の情報提供サーバと、第１の情報とは異なる第２の情報を提供する第２の情報提供サーバと、第１の情報提供サーバによって提供された第１の情報及び第２の情報提供サーバによって提供された第２の情報を再生する再生装置とが互いに通信可能に接続された情報管理システム及び情報管理方法、情報を提供する情報提供サーバ及び情報提供方法、情報を再生する再生装置、再生方法、再生プログラム、再生プログラムを記録したコンピュータ読み取り可能な記録媒体及び再生制御回路、並びに情報を記録する記録装置、記録方法、記録プログラム、記録プログラムを記録したコンピュータ読み取り可能な記録媒体及び記録制御回路等として有用である。
【図面の簡単な説明】
【０２０２】
【図１】本発明の一実施の形態によるコンテンツ管理システムの構成を示すブロック図である。
【図２】図１に示すコンテンツ提供サーバの構成を示すブロック図である。
【図３】コンテンツリスト記憶部が記憶するコンテンツリストの一例を示す図である。
【図４】図１に示すＣＭ提供サーバの構成を示すブロック図である。
【図５】ＣＭデータリスト記憶部が記憶するＣＭデータリストの一例を示す図である。
【図６】図１に示すコンテンツ再生装置の構成を示すブロック図である。
【図７】本実施の形態における再生制御回路の構成を示すブロック図である。
【図８】図１に示すコンテンツ管理システムのコンテンツ送信処理を説明するための第１のフローチャートである。
【図９】図１に示すコンテンツ管理システムのコンテンツ送信処理を説明するための第２のフローチャートである。
【図１０】図１に示すコンテンツ管理システムのコンテンツ再生処理を説明するための第１のフローチャートである。
【図１１】図１に示すコンテンツ管理システムのコンテンツ再生処理を説明するための第２のフローチャートである。
【図１２】コンテンツ提供サーバにおけるコンテンツデータの生成について具体的に説明するための模式図である。
【図１３】ＣＭ提供サーバにおけるＣＭデータの電子透かし挿入について具体的に説明するための模式図である。
【図１４】表示画面上の一部分にＣＭデータを再生する場合の表示画面の一例を示す図である。
【図１５】本実施の形態のコンテンツ記録装置の構成を示すブロック図である。
【図１６】本実施の形態における記録制御回路の構成を示すブロック図である。
【図１７】他の実施形態におけるコンテンツ提供サーバの構成を示すブロック図である。
【図１８】他の実施形態におけるコンテンツ再生装置の構成を示すブロック図である。
【図１】
0004762991.tif 000002
【図２】
0004762991.tif 000003
【図３】
0004762991.tif 000004
【図４】
0004762991.tif 000005
【図５】
0004762991.tif 000006
【図６】
0004762991.tif 000007
【図７】
0004762991.tif 000008
【図８】
0004762991.tif 000009
【図９】
0004762991.tif 000010
【図１０】
0004762991.tif 000011
【図１１】
0004762991.tif 000012
【図１２】
0004762991.tif 000013
【図１３】
0004762991.tif 000014
【図１４】
0004762991.tif 000015
【図１５】
0004762991.tif 000016
【図１６】
0004762991.tif 000017
【図１７】
0004762991.tif 000018
【図１８】
0004762991.tif 000019